(57)【要約】【課題】  様々な排水機器の接続箇所について、接続作業を簡易、且つ確実に行うと共に、必要に応じて分離することも容易に行うことができる、排水機器の接続構造を提供する。【解決手段】  排水機器の接続箇所に用いられる、排水機器同士の接続構造を、一方の排水機器に備えられる被嵌合部と、他方の排水機器に備えられた、スイッチ部を設けてなり、接続時には該被嵌合部と差し込み操作のみで水密的に接続され、脱着時にはスイッチ部への操作にて取り外しされる嵌合部と、から構成してなり、一方の排水機器が槽体等であって、他方の排水機器が槽体底面に接続される排水器等にて構成する。【選択図】図１
2015055149.tif 000002
【特許請求の範囲】
【請求項１】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が槽体であって、他方の排水機器が槽体底面に接続される排水器であることを特徴とする、排水機器の接続構造。
【請求項２】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が槽体であって、他方の排水機器が槽体側面に接続されるオーバーフロー継手であることを特徴とする排水機器の接続構造。
【請求項３】
上記排水機器の接続構造において、
槽体に設けた被嵌合部、または嵌合部が、槽体と一体に構成されてなることを特徴とする、請求項１または請求項２に記載の排水機器の接続構造。
【請求項４】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がその内部に排水を溜めることで、内部の排水流路に水封状態を形成する封水式トラップのトラップ本体であり、
他方の排水機器が、トラップ本体に水封状態を生じさせる封水部材であることを特徴とする排水機器の接続構造。
【請求項５】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がその内部に排水を溜めることで、内部の排水流路に水封状態を形成する封水式トラップのトラップ本体であり、
他方の排水機器が、排水が流入する排水口からの排水配管であることを特徴とする排水機器の接続構造。
【請求項６】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がその内部に排水を溜めることで、内部の排水流路に水封状態を形成する封水式トラップのトラップ本体であり、
他方の排水機器が、排水を流出させる床下配管への排水配管であることを特徴とする記載の排水機器の接続構造。
【請求項７】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が床下配管との接続を行う為の床下配管のソケット部材であり、
他方の排水機器が、その内部に排水を溜めることで、内部の排水流路に水封状態を形成する封水式トラップから排水を流出させる床下配管への排水配管であることを特徴とする排水機器の接続構造。
【請求項８】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が洗濯機からの排水を排出する排水配管であり、
他方の排水機器が、
洗濯機パン上の排水が流入する排水口と、
排水口からの排水を内部を溜める、上方に開口した封水椀部と、
略筒状の部材であって、上端は排水口に水密的に接続され、下端は封水椀部内に配置される防臭筒と、
封水椀部から水封された状態にて排水を下流側に排出する排出口と、
管体であって、下流側端部が封水椀部内の、防臭筒の外側に配置される泡止め配管と、
からなる排水トラップの、泡止め配管であることを特徴とする排水機器の接続構造。
【請求項９】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が排水器の内部に排水を流入させるための排水口であって、
他方の排水機器が、排水器内部への排水の流入を許容し、排水器内部から外部への逆流を防止する逆流防止弁であることを特徴とする排水機器の接続構造。
【請求項１０】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が排水配管であって、
他方の排水機器が、排水配管外から排水配管内への通気を許容し、排水配管内から排水配管外への排水の流出を防止する吸気弁であることを特徴とする排水機器の接続構造。
【請求項１１】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が排水器に設けられた点検窓であって、
他方の排水機器が点検窓の蓋部材であることを特徴とする排水機器の接続構造。
【請求項１２】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がオーバーフロー排水器であって、
他方の排水機器がオーバーフロー配管であることを特徴とする排水機器の接続構造。
【請求項１３】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が一方の排水機器がその内部に排水を溜めることで、内部の排水流路に水封状態を形成する封水式トラップの上流側の配管であり、
他方の排水機器が、槽体側面からの排水が流れるオーバーフロー配管であることを特徴とする排水機器の接続構造。
【請求項１４】
操作部と、
操作部からの操作によって排水口を遠隔操作にて開閉するケーシングを備えた作動部と、
排水口からの排水を下流側に排出するためのケーシングを備えた排水器と、
操作部の操作を作動部に伝達するレリースワイヤと、一端が操作部に、他端が排水器に接続され、内部にレリースワイヤを挿通してガイドするガイド管と、
からなる遠隔操作式排水装置の各部を構成する排水機器の接続構造において、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成され、
一方の排水機器が操作部のケーシングに設けたレリースワイヤの挿通口、または排水器のケーシングに設けたレリースワイヤの挿通口であり、
他方の排水機器がガイド管であることを特徴とする排水機器の接続構造。
【請求項１５】
操作部と、
操作部からの操作によって排水口を遠隔操作にて開閉する作動部と、
排水口からの排水を下流側に排出するためのケーシングを備えた排水器と、
操作部の操作を作動部に伝達するレリースワイヤと、一端が操作部に、他端が排水器に接続され、内部にレリースワイヤを挿通してガイドするガイド管と、
からなる遠隔操作式排水装置の各部を構成する排水機器の接続構造において、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成され、
一方の排水機器が排水器のケーシングに設けたレリースワイヤの挿通口であり、
他方の排水機器が、レリースワイヤを挿通した状態で排水器のケーシングの挿通口を閉塞するキャップ部材であることを特徴とする排水機器の接続構造。
【請求項１６】
排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が家屋屋外の縦樋配管であって、
他方の排水機器が雨水を溜める雨水タンクであることを特徴とする排水機器の接続構造。
【請求項１７】
上記排水機器の接続構造において、
嵌合部と被嵌合部の接続が適正に行われた場合に、適正な接続が行われたことを表示する表示機能を備えたことを特徴とする、請求項１乃至請求項１６のいずれか一つに記載の排水機器の接続構造。
【請求項１８】
上記排水機器の接続構造において、
スイッチへの操作により嵌合部と被嵌合部の接続が解除される際に、嵌合部と被嵌合部を離間させる弾性部材を備えたことを特徴とする、請求項１乃至請求項１７のいずれか一つに記載の排水機器の接続構造。
【請求項１９】
上記排水機器の接続構造において、
不要な溜り水の発生を防止するため、嵌合部及び被嵌合部のいずれか一方、または両方の側面に、嵌合部の外側面から下流側に連通する通水部を設けたことを特徴とする、請求項１乃至請求項１８のいずれか一つに記載の排水機器の接続構造。
【請求項２０】
上記排水機器の接続構造において、
清掃等、通常の使用において分離を行わない接続箇所、またはスイッチに対し、分離不要を示す封印を行うことを特徴とする、請求項１乃至請求項１９のいずれか一つに記載の排水機器の接続構造。
【発明の詳細な説明】
【技術分野】
【０００１】
本発明は、排水器部材同士の接続箇所、例えば浴室の浴槽や浴槽パン、洗い場パン、洗面ボウル、シンク、洗濯機防水パン、トイレ、雨水タンクといった排水機器と、それらに対応する排水機器との接続及び着脱や、排水器部材からの配管と、その下流にある排水トラップとの接続及び着脱、また遠隔操作式排水栓装置の操作部や排水器とガイド管、またキャップ部材等の接続及び着脱を、簡易且つ確実に行う為の、排水機器の接続構造に関するものである。
【背景技術】
【０００２】
従来より、排水を生じ、または通過させる機器（以下「排水機器」と記載）について、それら排水機器の各部材の接続をいかに行うかが問題となっていた。以下に具体的に説明する。
特許文献１に記載の従来例の浴室の排水配管は、以下に記載した槽体としての浴槽、浴槽パン、洗い場パン、排水器としての浴槽パン排水器、排水トラップ、浴槽排水栓、浴槽排水栓と浴槽パン排水器を接続する浴槽配管、浴槽の排水口を遠隔操作にて開閉する遠隔操作式排水栓装置、より構成されてなる。
浴槽は、上方が開口した直方体形状の槽体であって、上端縁部（リム部分）と底面とに開口が設けられてなる。
浴槽パンは、上記浴槽を載置する防水パンと呼ばれる底面に開口を備える槽体である（底面積に比べ側面の高さが低いが、四方を壁で覆い、その内部に排水が流入するように構成されるため、槽体である）。
洗い場パンは、上記浴槽パンに隣接して設けられる、浴室の使用者が身体を洗う等する防水パン（槽体）であって、底面に開口を備えてなる。
浴槽排水器は、略円筒状の部材であって、上端外周方向にフランジ部が形成され、その内部に浴槽排水口が形成されると共に、その側面に雄ネジが形成されてなる。
浴槽パン排水器は、浴槽パンの底面の開口に取り付けられる排水器であって、有底略円筒形状の本体部分と、本体部分の側面に後述する排水トラップと接続するための接続部を備えると共に、本体部分の上方部内周縁に雌ネジを備えてなる。
排水トラップとは、下水など下流側から、臭気や害虫類が屋内など上流側に逆流することを防ぐ機能を備えた排水器であって、この下流側から臭気や害虫類が上流側に逆流することを防ぐ機能を「トラップ機能」と呼ぶ。
本従来例の排水トラップは、洗い場パンの底面の開口に取り付けられる排水器であって、上方に雌ネジを備えた開口部を、内部に排水を溜める封水椀部を、封水椀部の側面に、浴槽パン排水器の接続部に接続される枝管部と、内部の排水を排出するための排出口と、をそれぞれ設けたトラップ本体と、
略円筒形状にして上方は後述する洗い場パン排水口に水密的に接続され、下端は封水椀部内に配置される防臭筒から構成される。尚、該防臭筒の浴槽パン排水口との接続は、上端部に傾斜を利用した回転ロック構造を備え、後述する洗い場パン排水口の凸部と嵌合することでパッキングを利用し水密的且つ着脱可能な接続を行っている。
更に、洗い場パン排水口に、防臭筒を接続する。この際は、防臭筒の下端が、封水椀部内に配置されるように防臭筒を挿通し、その上で、防臭筒を回転させると、防臭筒の回転ロック機構が浴槽パン排水口に設けられた凸部と嵌合し、浴槽パン排水口に対して水密的に接続される。
また、浴槽パン排水器、排水トラップは、それぞれ浴槽パン、洗い場パンの開口に取り付けるため、略円筒形状にして上方に円周に沿って外方向に突出したフランジ部と、円筒部分の外側面に設けた、雌ネジと螺合する雄ネジを設けてなるフランジ部材を備えてなる。各フランジ部材の内周部分は、浴槽パンに取り付けられる場合は浴槽パン排水口を、洗い場パンに取り付けられる場合は洗い場パン排水口を、それぞれ形成する。
また、浴槽パン排水口には、下記に記載するカバー部材が水密的に備えられる。
カバー部材は、浴槽パン排水口を覆うように配置される部材であって、浴槽パン上の排水を浴槽パン排水器内に流入させると共に、浴槽パン排水器内部からの逆流を防止する逆流防止弁を備えた流入部と、浴槽排水器の雄ネジと螺合する雌ネジを設けた浴槽接続口と、後述する遠隔操作式排水栓装置のレリースワイヤを挿通する挿通口と、を備えてなる。
該逆流防止弁は、浴槽パン排水口において、浴槽パン上から浴槽パン排水器内に排水が流入する際には排水を通過させ、浴槽パン排水器内から浴槽パン上に排水が逆流しようとする際には浴槽パン排水口を閉塞して排水の逆流を防止する部材である。
尚、逆流防止弁には、通常時開口して逆流時にのみ閉塞を行うものや、通常時閉塞して排水時にのみ開口を行うものがあり、その構造もフロート式、スイング式、リフト式、自己閉鎖膜式等、様々な構造があるが、いずれも逆流の際には、弁が、何らかの部材に接して流路を閉塞した状態とすることで、逆流を防止する。本従来例では、逆流防止弁として、通常時浴槽パン排水口を開口して逆流時にのみ弁体が逆流した排水に浮力や逆流水の勢いで上昇し開口を閉塞する、流入口に対して着脱自在なフロート式逆流防止弁が使用されている。具体的には、上面に開口を有するケーシングと、逆流時この開口を閉塞する、比重が１よりも小さい弁体と、該弁体の上下動をガイドするガイド軸と、ケーシング側面備えたパッキングからなり、カバー部材の流入口に水密的に取り付けられる（この従来例では、流入口に取り付けられた状態で搬入されている）。
遠隔操作式排水栓装置は、浴槽排水器内に設けられた浴槽排水口を、遠隔操作式により開閉するための排水装置であって、以下に記載する操作部、レリースワイヤ、支持部材、弁部材、からなる。
操作部は略円筒状にして槽体上縁部分の開口に取り付けられ、遠隔操作によって、浴槽排水口の開閉を行う。
レリースワイヤは、側面方向に可撓性を、軸方向に剛性を備えた筒状のアウターチューブ、アウターチューブ内部を摺動する、やはり側面方向に可撓性を、軸方向に剛性を備えたインナーワイヤ、インナーワイヤの一端に備えられた弁軸部、及び弁軸部と反対側に備えられた、ボタン部を備えてなり、ボタン部の押し操作毎に弁軸部を突出した状態で固定／固定を解除して弁軸部の突出を引き戻す保持機構（特許文献１には記載無し）、から構成されてなる。
支持部材は、レリースワイヤを浴槽排水器の排水口内に支持固定する部材である。
弁部材は略円盤形状の部材であって、下面中央部が、弁軸部先端と嵌合するように構成されてなる。
【０００３】
上記のように構成された本発明の従来例の浴室の排水配管は、以下のようにして浴室に施工される。
まず、浴槽パン排水器の接続部を排水トラップの枝管部に接続する。接続は接着剤を利用して水密的に行う。
次に、排水トラップの排出口に下水側の排水配管（パイプ管）を接続する。この接続も接着材を利用し水密的に接続を行う。
次に、浴槽パンの開口、洗い場パンの開口にそれぞれフランジ部材の円筒部分を挿通し、フランジ部の下面に開口の周縁が当接するように配置する。更に浴槽パン側のフランジ部材の雄ネジに浴槽パン排水器の開口の雌ネジを、洗い場パン側のフランジ部材の雄ネジに排水トラップの開口の雌ネジを、それぞれ螺合させる。この接続の際には、パンの上方から、それぞれのフランジ部材を治具で回転させて螺合させる。尚、特に詳述しないが、接続の際にはそれぞれの開口の周縁にパッキングを配置し、水密的に接続させる。
次に、浴槽底面の開口に浴槽排水器を挿通し、その雄ネジにカバー部材の雌ネジを螺合させて浴槽排水器とカバー部材を固定する。
次に、浴槽の上端縁部の開口に操作部を取り付ける。
尚、浴槽排水器、操作部の接続の際にはそれぞれの開口の周縁にパッキングを配置し、水密的に接続させる。
次に、レリースワイヤを操作部に接続し、レリースワイヤの先端部を、カバー部材の挿通口に挿通させる。
次に、浴槽排水口の上方からレリースワイヤ先端を引き上げ、支持部材によって、レリースワイヤ先端部分を浴槽排水口（浴槽排水器）内に配置固定し、更に弁軸部先端に弁部材を嵌合させて取り付ける。この作業の終了後、挿通口はレリースワイヤを挿通した状態で、パッキングにより閉塞される。
次に、浴槽を浴槽パンに載置し、浴槽パン排水口をカバー部材が覆うように配置する。カバー部材の下面周縁部分にはパッキングが配置され、浴槽パン排水口とカバー部材は水密的に接続される（当然ながら、設計時点において、浴槽を適正位置にて浴槽パン上に配置した時、カバー部材が浴槽パン排水口の適正な位置に配置されるように設計を行われるものとする）。これによって、浴槽排水口から浴槽パン排水器内へ至る流路が構成される。
更に、洗い場パン排水口に、防臭筒を接続する。この際は、防臭筒の下端が、封水椀部内に配置されるように浴槽パン排水口内に防臭筒を挿通し、その上で、防臭筒を回転させると、防臭筒の回転ロック機構が浴槽パン排水口に設けられた凸部と嵌合し、回転ロック機構の下面に配置したパッキングを介し、防臭筒の上端が浴槽パン排水口に対して水密的に接続する。
このようにして、浴槽、浴槽パン、洗い場パンを備えた、浴室の排水配管の施工が完了する。
【０００４】
上記のように構成された本従来例の浴室の排水配管において、遠隔操作式排水栓装置を操作し、浴槽排水口を閉塞することで、浴槽内に浴湯を溜めることができる。浴槽を使用した後、遠隔操作式排水栓装置の操作部に配置されたボタン部に押し込み操作を行うと、保持機構が作用して、弁軸部を突出した状態で保持固定するため、弁軸部の先端にある弁部材が押し上げられて浴槽排水口を開口し、浴槽内の排水が浴槽排出口から排出される。
浴槽より排水が生じると、排水は、浴槽排水口から、浴槽パン排水器内、接続部、枝管部、排水トラップ、を介し、最終的に排水トラップの排出口から排水配管を通じて下水側に排出される。
この時、浴槽パン排水器内は大量の排水が流れ込むが、逆流防止弁が機能して浴槽パン排水口（流入口）を閉塞するため、浴槽パン上に排水が逆流することは無い。
また、挿通口もパッキングにより閉塞されているため、挿通口から浴槽パン上に逆流が生じることもない。
この状態より、再度ボタン部に押し込み操作を加えると、保持機構によるインナーワイヤの保持固定が解除され、弁軸部と弁部材が降下し、浴槽パン排水口が閉塞される。
以後この操作を繰り返す事で、浴槽排水口を、遠隔操作により自在に開閉することができる。
また、浴槽パン上に排水が生じると、排水は、浴槽パン排水口の流入口から、浴槽パン排水器、接続部、枝管部、排水トラップ、を介し、最終的に排水トラップの排出口から排水配管を通じて下水側に排出される。
また、洗い場パン上に排水が生じると、排水は、洗い場パン排水口から、排水トラップ内を通じ、排水トラップの排出口から排水配管を通じて下水側に排出される。
また、これら排水を行う際、浴槽パン排水器内から、接続部を介し排水トラップ内にかけて、排水の溜まり部分である封水が生じる。この封水によって、浴槽パン排水器や排水トラップに、トラップ機能が生じ、浴槽排水口、浴槽パン排水口、洗い場パン排水口が水封され、下水側から屋内側への害虫類また臭気の屋内側への逆流が防止される。
具体的に説明すると、浴室の利用により、上記した浴室の排水配管において、封水椀部内に、封水椀部の上縁まで排水（封水）が溜まる。
浴槽排水口、浴槽パン排水口については、この封水によって、接続部及び枝管部内が常時満水状態になり、下水側の配管に対して水封される為、下水側からの臭気や害虫類が屋内側に逆流することが無い。
洗い場パン排水口については、防臭筒の下端部分が封水椀部内に配置されているため、浴槽パン排水口から、防臭筒内部、防臭筒外側面と封水椀部内側面の間、排水トラップ内、排出口、に至る流路の、防臭筒内部から防臭筒外側面と封水椀部内側面の間部分が、常時満水状態になり、下水側の配管に対して水封される為、下水側からの臭気や害虫類が屋内側に逆流することが無い。
【０００５】
また、それぞれの排水機器の接続箇所は、接着、またはパッキングを介した螺合によって、水密的に接続され、適正に接続を行った場合は、排水を行っても漏水が生じることが無い。
【０００６】
【特許文献１】特開２００４−１５６３６２号
【発明の開示】
【発明が解決しようとする課題】
【０００７】
上記したように、排水機器の各接続部分は、接着、またはパッキングを介したネジの螺合等によって行われる。
接続を接着剤を利用した接着によって行うか、またはパッキングを介したネジの螺合等によって接続を行うかは、部材の形状や使用箇所、排水機器の素材の他、施工後に清掃やメンテナンスのため排水機器を分離する必要があるか否か等によって選択される。
例えば、防臭筒や逆流防止弁等は、施工完了後も浴室の使用者や清掃などの際に着脱を行う為、逆流防止弁のように側面のパッキングの弾性・摩擦を利用した嵌合の構造や、防臭筒のように回転ロック構造を利用する場合がある。
しかしながら、接着による接続にせよ、螺合による接続にせよ、施工現場でこれらの接続作業を行う場合、接続を適正に行うことも、また接続が適正に行われたかを検証することも困難である。
接続が困難になる理由としては、浴槽排水器とカバー部材、フランジ部材と浴槽パン排水器及び排水トラップとの接続作業のように、槽体の上方（又は下方）の一面側から螺合のため排水機器や部材を回転させる場合に、槽体の下方側（又は上方側）に対して作業者の視線や手が届き難いためである。またネジ締め作業には、そのための治具も必要になるが、部材それぞれに適合する治具を用意しなければならず、適正な治具が無い場合、例えばレンチなどを利用し、無理やりに回転させるなどして接続する必要がある為である。
また作業箇所によっては狭隘な部分に手を入れる等の必要が生じる場合もあり、これも作業の困難性を増すことの原因となる。
また、接続が適正に行われたかを検証することが困難となる理由は、接続箇所が狭隘な奥まった個所にある場合が多いことと、確認を行う場所が工場などではなく施工現場のため、接続が適正に行われたかどうかを確認するにあたり、排出口を閉塞する等した上で、排水機器を含む排水配管を満水状態とし、相当の時間経過後に漏水による水滴があるかどうか、等の方法を利用するしかないためである（検査を行う場所が例えば工場で、且つある程度持ち運びが容易な大きさであれば、開口箇所を閉塞した上で水槽内に水没させ、更に内部に空気を送り込むことで接続箇所に空気漏れ（＝水密的に接続ができていない箇所）がある、といった簡易且つ確実な確認を行うことも可能である）。
また前述の逆流防止弁や防臭筒のように、知識・経験のある施工業者ではなく、一般の使用者が着脱を行う箇所については、作業を行うものの経験・知識が（施工業者に比べ）低いために、接続が正しく行われる可能性が低くなる上に、接続が適正に行われたかを理解・確認することも困難で、誤った接続を行われる場合もある、等の問題もあった。
【０００８】
上記従来例は、浴室の排水配管に関する事例であるが、同様の問題は、浴室に限らず、洗面台、流し台、洗濯機の防水パン、トイレの便器等、様々な排水機器の接続に際して生じうる問題点である。
本発明は上記問題点に鑑み発明されたものであって、様々な排水機器の接続箇所について、接続作業を簡易、且つ確実に行うと共に、必要に応じて分離することも容易に行うことができる、排水機器の接続構造を提供するためのものである。
【課題を解決するための手段】
【０００９】
請求項１に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が槽体であって、他方の排水機器が槽体底面に接続される排水器であることを特徴とする、排水機器の接続構造である。
【００１０】
請求項２に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が槽体であって、他方の排水機器が槽体側面に接続されるオーバーフロー継手であることを特徴とする排水機器の接続構造である。
【００１１】
請求項３に記載の本発明は、上記排水機器の接続構造において、
槽体に設けた被嵌合部、または嵌合部が、槽体と一体に構成されてなることを特徴とする、請求項１または請求項２に記載の排水機器の接続構造である。
【００１２】
請求項４に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がその内部に排水を溜めることで、内部の排水流路に水封状態を形成する封水式トラップのトラップ本体であり、
他方の排水機器が、トラップ本体に水封状態を生じさせる封水部材であることを特徴とする排水機器の接続構造である。
【００１３】
請求項５に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がその内部に排水を溜めることで、内部の排水流路に水封状態を形成する封水式トラップのトラップ本体であり、
他方の排水機器が、排水が流入する排水口からの排水配管であることを特徴とする排水機器の接続構造である。
【００１４】
請求項６に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がその内部に排水を溜めることで、内部の排水流路に水封状態を形成する封水式トラップのトラップ本体であり、
他方の排水機器が、排水を流出させる床下配管への排水配管であることを特徴とする記載の排水機器の接続構造である。
【００１５】
請求項７に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が床下配管との接続を行う為の床下配管のソケット部材であり、
他方の排水機器が、その内部に排水を溜めることで、内部の排水流路に水封状態を形成する封水式トラップから排水を流出させる床下配管への排水配管であることを特徴とする排水機器の接続構造である。
【００１６】
請求項８に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が洗濯機からの排水を排出する排水配管であり、
他方の排水機器が、
洗濯機パン上の排水が流入する排水口と、
排水口からの排水を内部を溜める、上方に開口した封水椀部と、
略筒状の部材であって、上端は排水口に水密的に接続され、下端は封水椀部内に配置される防臭筒と、
封水椀部から水封された状態にて排水を下流側に排出する排出口と、
管体であって、下流側端部が封水椀部内の、防臭筒の外側に配置される泡止め配管と、
からなる排水トラップの、泡止め配管であることを特徴とする排水機器の接続構造である。
【００１７】
請求項９に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が排水器の内部に排水を流入させるための排水口であって、
他方の排水機器が、排水器内部への排水の流入を許容し、排水器内部から外部への逆流を防止する逆流防止弁であることを特徴とする排水機器の接続構造である。
【００１８】
請求項１０に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が排水配管であって、
他方の排水機器が、排水配管外から排水配管内への通気を許容し、排水配管内から排水配管外への排水の流出を防止する吸気弁であることを特徴とする排水機器の接続構造である。
【００１９】
請求項１１に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が排水器に設けられた点検窓であって、
他方の排水機器が点検窓の蓋部材であることを特徴とする排水機器の接続構造である。
【００２０】
請求項１２に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器がオーバーフロー排水器であって、
他方の排水機器がオーバーフロー配管であることを特徴とする排水機器の接続構造である。
【００２１】
請求項１３に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が一方の排水機器がその内部に排水を溜めることで、内部の排水流路に水封状態を形成する封水式トラップの上流側の配管であり、
他方の排水機器が、槽体側面からの排水が流れるオーバーフロー配管であることを特徴とする排水機器の接続構造
である。
【００２２】
請求項１４に記載の本発明は、操作部と、
操作部からの操作によって排水口を遠隔操作にて開閉するケーシングを備えた作動部と、
排水口からの排水を下流側に排出するためのケーシングを備えた排水器と、
操作部の操作を作動部に伝達するレリースワイヤと、一端が操作部に、他端が排水器に接続され、内部にレリースワイヤを挿通してガイドするガイド管と、
からなる遠隔操作式排水装置の各部を構成する排水機器の接続構造において、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成され、
一方の排水機器が操作部のケーシングに設けたレリースワイヤの挿通口、または排水器のケーシングに設けたレリースワイヤの挿通口であり、
他方の排水機器がガイド管であることを特徴とする排水機器の接続構造である。
【００２３】
請求項１５に記載の本発明は、操作部と、
操作部からの操作によって排水口を遠隔操作にて開閉する作動部と、
排水口からの排水を下流側に排出するためのケーシングを備えた排水器と、
操作部の操作を作動部に伝達するレリースワイヤと、一端が操作部に、他端が排水器に接続され、内部にレリースワイヤを挿通してガイドするガイド管と、
からなる遠隔操作式排水装置の各部を構成する排水機器の接続構造において、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成され、
一方の排水機器が排水器のケーシングに設けたレリースワイヤの挿通口であり、
他方の排水機器が、レリースワイヤを挿通した状態で排水器のケーシングの挿通口を閉塞するキャップ部材であることを特徴とする排水機器の接続構造である。
【００２４】
請求項１６に記載の本発明は、排水機器の接続箇所に用いられる、排水機器同士の接続構造であって、
一方の排水機器に備えられる被嵌合部と、
他方の排水機器に備えられた、
スイッチ部を設けてなり、接続時には該被嵌合部と差し込み操作のみで水密的に接続され、脱着時にはスイッチ部への操作にて取り外しされる嵌合部と、
から構成してなり、
一方の排水機器が家屋屋外の縦樋配管であって、
他方の排水機器が雨水を溜める雨水タンクであることを特徴とする排水機器の接続構造である。
【００２５】
請求項１７に記載の本発明は、上記排水機器の接続構造において、
嵌合部と被嵌合部の接続が適正に行われた場合に、適正な接続が行われたことを表示する表示機能を備えたことを特徴とする、請求項１乃至請求項１６のいずれか一つに記載の排水機器の接続構造である。
【００２６】
請求項１８に記載の本発明は、上記排水機器の接続構造において、
スイッチへの操作により嵌合部と被嵌合部の接続が解除される際に、嵌合部と被嵌合部を離間させる弾性部材を備えたことを特徴とする、請求項１乃至請求項１７のいずれか一つに記載の排水機器の接続構造である。
【００２７】
請求項１９に記載の本発明は、上記排水機器の接続構造において、
不要な溜り水の発生を防止するため、嵌合部及び被嵌合部のいずれか一方、または両方の側面に、嵌合部の外側面から下流側に連通する通水部を設けたことを特徴とする、請求項１乃至請求項１８のいずれか一つに記載の排水機器の接続構造である。
【００２８】
請求項２０に記載の本発明は、上記排水機器の接続構造において、
清掃等、通常の使用において分離を行わない接続箇所、またはスイッチに対し、分離不要を示す封印を行うことを特徴とする、請求項１乃至請求項１９のいずれか一つに記載の排水機器の接続構造である。
尚、該封印は、通常の封印紙、封印シール等でスイッチ部や接続箇所に封をする（接続解除不可の意思表示をする）構成の他、操作スイッチ自体に覆いを行うなどにより、接続解除のための操作ができないようにする、いわゆるフールプルーフの構成を採用しても良い。
【発明の効果】
【００２９】
請求項１乃至請求項１６に記載の本発明では、排水機器の接続構造において、差し込み操作のみによって接続を行うことができると共に、簡単なボタン操作のみで接続の解除できるなど、着脱を容易かつ確実に行うことができる。
特に、請求項４に記載したトラップ本体と封水部材の接続、
請求項８に記載した洗濯機のホース管と泡止め配管の接続、
請求項９に記載した排水口と逆流防止弁の接続、
請求項１１に記載した点検窓とその蓋部材の接続は、
施工完了後に、特に施工の知識・経験のない一般の使用者等が、清掃、点検等、通常の使用（故障や破損等、予想外の状況が生じていない状況での使用）において、必要に応じて接続を解除する場合があり、本発明のように、簡単に接続、接続解除を行うことができる構造の方が好適である。
請求項１７に記載の本発明においては、接続が適正に行われた場合に、それを表示する機能を備えたことで、接続不良を確実に防ぐことができる。
請求項１８に記載の本発明においては、接続を解除する作業を行う際、弾性部材の弾発により接続が確実に解除され、作業性が向上する。
請求項１９に記載の本発明においては、排水機器上に、嵌合部また被嵌合部によって溜り水が発生することを防止することができる。
請求項２０に記載の本発明においては、接続後、通常の使用においては分離する必要の無い箇所に対して封印を行うことで、誤って接続を解除することが無いようにすることができる。当該封印は、接続と接続解除を容易にした結果、誤って接続解除を行うことも容易になった事に対しての対応であり、「清掃等を含む通常の使用において、接続を解除する必要は無い、または接続を解除すると逆に漏水などの不具合が起きるが、破損などにより、修理業者等のメンテナンスのためには接続を解除する必要がある接続箇所」等に施される。
また、施工者、修理業者等と異なる一般の使用者には、該当箇所が清掃などの際に接続を解除しても良いかどうかの判別がつかない場合があるため、この封印の有無（又は封印の記載内容）によって接続解除の必要性の有無を明示する、という効果も有する。
【図面の簡単な説明】
【００３０】
【図１】通常の、被嵌合部と第一の嵌合部の断面図である。
【図２】図１の被嵌合部と第一の嵌合部の接続状態を示す断面図である。
【図３】通常の、被嵌合部と第二の嵌合部の断面図である。
【図４】図３の被嵌合部と第二の嵌合部の接続状態を示す断面図である。
【図５】接続状態における、封印リングを省いたＡ−Ａ断面図である。
【図６】接続解除操作状態における、封印リングを省いたＡ−Ａ断面図である。
【図７】接続状態における、封印リングを含むＡ−Ａ断面図である。
【図８】通水孔を有する、被嵌合部と第一の嵌合部の断面図である。
【図９】図８の被嵌合部と第一の嵌合部の接続状態を示す断面図である。
【図１０】図９のＢ−Ｂ断面図である。
【図１１】第一実施例の浴室配管を示す、一部を切り欠きした参考図である。
【図１２】第二実施例の洗面台の配管を示す、一部を切り欠きした参考図である。
【図１３】第三実施例の洗面台の配管を示す、一部を切り欠きした参考図である。
【図１４】第四実施例の流し台の配管を示す断面図である。
【図１５】第四実施例の排水トラップを示す断面図である。
【図１６】第五実施例の洗濯機パンの配管を示す、一部を切り欠きした参考図である。
【図１７】雨水タンクと縦樋配管に使用した実施例を示す参考図である。
【図１８】便器と立ち上げ配管に使用した実施例を示す参考図である。
【００３１】
以下に、本実施例における接続構造の基本構造について、説明する。
段落００４３以降に記載する各実施例には、以下に記載する第一の嵌合部Ｋ１、または第二の嵌合部Ｋ２と、この第一または第二の嵌合部Ｋ２に共通に着脱自在に嵌合して接続される被嵌合部Ｆと、を備えてなる。
尚、説明を容易にするため、以下段落００３２乃至段落００４２においては、図１乃至４、又は図８乃至図１０の図示に合わせ、被嵌合部Ｆの接続が行われる端部の方向を下方として説明する。この段落００３２乃至段落００４２の記載における上下は、あくまでも説明を容易にするためのものであって、段落００４３以降に記載した各実施例の説明では、必ずしも段落００３２乃至段落００４２の説明における上下に合わせて配置されるとは限らない。
また、以下の記載は基本構造についての説明であり、接続及び接続解除の機能を維持する限りにおいて、多少の変更、例えば円形形状を楕円形形状に変更する、通水孔２７を設ける、程度の変更は許容するものである。
【００３２】
以下に、被嵌合部Ｆの基本構造について説明する。
被嵌合部Ｆは、図１乃至図１０に示したように、略円筒形状を成し、その側面に周縁に沿って連続する段部を設けてなる。この端部によって形成される下方を向いた面は、後述する表示部材２０の上端部と当接する当接面１５となる。また、この当接面１５よりも上側（接続が行われる端部により遠い側）に、後述する爪部１８と嵌合する嵌合溝１９を、周縁に沿って連続するように設けてなる。
また、この当接面１５よりも下側（接続が行われる端部に近い側）に、周縁に沿って連続する溝を設けてなり、この溝にＯリングＯと呼ばれる、断面円形のリング状のパッキングが嵌めこまれてなる。
【００３３】
以下に、第一の嵌合部Ｋ１の基本構造について説明する。
第一の嵌合部Ｋ１は、図１または図２に示したように、以下に記載する、第一の接続筒本体部Ｋ１１、押しスイッチ部材１６、表示部材２０、弾性部材１４、より構成されてなる。
第一の接続筒本体部Ｋ１１は、その内径が、対応する被嵌合部Ｆの外径とほぼ同じで若干大径となる略円筒形状を成し、その側面に上側（接続が行われる端部に近い側）から順に、後述する爪部１８が貫通するスリット部２１、スリット部２１の直下で外側面に設けた軸受部２４、後述する表示部材２０が係止配置される開口からなる表示窓２２、及び表示窓２２の下方であって、その内部に設けられた、弾性部材１４が配置される段部を備えてなる（段部の上方と下方とで内径は変化する）。また、各部の上下方向の長さと配置は、対応する被嵌合部Ｆと合わせて、後述する接続作業が適正に行われる長さに構成されてなる。
押しスイッチ部材１６は一端に設けられた、接続時スリット部２１を介して、嵌合溝１９に嵌合する爪部１８、爪部１８の反対側に設けられた、押し操作が行われる押しスイッチ部１６ａ、爪部１８と押しスイッチ部１６ａの間に設けられた、軸受部２４と回動可能に嵌合してヒンジを形成する軸部２５を備えてなる。また、押しスイッチ部材１６は、軸受部２４と軸部２５とが嵌合した状態において、爪部１８が第一の接続筒本体部Ｋ１１の内径側に付勢されるように樹脂弾性を利用した弾性部２６を備えてなる。
また、爪部１８の先端は傾斜が設けられており、接続作業時、被嵌合部Ｆを挿入する際には傾斜によって爪部１８が第一の接続筒本体部Ｋ１１の外径側に移動する。
表示部材２０は表示部の内側に、上下動自在に配置される部材であって、一部に外方向に突出したリブ片２０ａを設け、このリブ片２０ａが表示窓２２と嵌合するように構成される。また、表示部材２０の外側面の内、リブ片２０ａよりも上方は赤色が、下方はグレー色が、それぞれ表示されてなる。
弾性部材１４はその外径が、第一の接続筒本体部Ｋ１１の内径よりも若干小径となる径のスプリング材からなる。
【００３４】
上記のように構成された、第一の嵌合部Ｋ１は、以下のように組み立てされる。
第一の接続筒本体部Ｋ１１内側の段部上に、弾性部材１４を載置し、更にその上に表示部材２０を配置し、表示窓２２にリブ片２０ａを嵌合させる。表示部材２０は弾性部材１４の弾発によって、常時上方に付勢される為、表示部材２０のリブ片２０ａが表示窓２２の上縁によって係止される位置まで押し上げられ、結果として表示窓２２には表示部のリブ片２０ａよりも下方にあるグレー色が表示される。
更に、第一の接続筒本体部Ｋ１１の軸受部２４に、押しスイッチ部材１６の軸部２５を嵌合させる。これにより、弾性部２６の作用によって、爪部１８がスリット部２１を貫通して第一の接続筒本体部Ｋ１１の内部に突出した状態で付勢される。
このようにして、第一の嵌合部Ｋ１が構成される。
【００３５】
上記のように構成された、被嵌合部Ｆと第一の嵌合部Ｋ１は、以下のようにして水密的に接続され、また接続を解除することができる。
図１または図２に示したように、第一の接続筒本体部Ｋ１１の内側に、被嵌合部Ｆを挿入すると、被嵌合部Ｆの先端が、爪部１８、表示部材２０、弾性部材１４を通過する。
次いで、被嵌合部Ｆの当接面１５が、爪部１８の傾斜に当接し、弾性部２６の付勢に抗して、爪部１８を第一の接続筒本体部Ｋ１１の外側方向に押し広げた上で、表示部材２０の上端に当接する。この状態より、更に被嵌合部Ｆを押し込むと、弾性部材１４の弾発に抗して被嵌合部Ｆの当接面１５が表示部材２０を押し下げ、表示窓２２の外側に突出するリブ片２０ａが下方に下がる。更に被嵌合部Ｆを押し下げると、以下の動作１．乃至動作３．が同時に生じて、被嵌合部Ｆと第一の嵌合部Ｋ１の接続が完了する。
動作１．ＯリングＯが第一の接続筒本体部Ｋ１１の内面に当接して、被嵌合部Ｆと第一の接続筒本体部Ｋ１１との間に水密的な接続を生じる。
動作２．表示部材２０のリブ片２０ａが表示窓２２の下端部分まで降下し、表示窓２２には表示部材２０のリブ片２０ａよりも上方に着色された赤色が表示される。
動作３．嵌合溝１９が爪部１８の先端の位置に達し、押しスイッチ部材１６の弾性部２６の弾性により爪部１８が再び第一の接続筒本体部Ｋ１１の内径方向に突出して嵌合溝１９と嵌合し、被嵌合部Ｆが第一の嵌合部Ｋ１から抜脱不能となる。
このように、表示窓２２に赤色が表示され、接続が適切に行われたことを確認可能とした上で、被嵌合部Ｆの差し込み操作だけで、被嵌合部Ｆと第一の嵌合部Ｋ１の接続が完了する。
【００３６】
段落００３５に記載したように、被嵌合部Ｆと第一の嵌合部Ｋ１とが接続を完了した状態において、以下の操作を行うことで接続を容易に解除することができる。
被嵌合部Ｆと第一の嵌合部Ｋ１とが接続を完了した状態より、押しスイッチ部材１６の押しスイッチ部１６ａを押すと、軸部２５を中心として押しスイッチ部材１６が回動し、爪部１８が第一の接続筒本体部Ｋ１１の外径方向に移動し、被嵌合部Ｆの嵌合溝１９と爪部１８との嵌合が解除される。
被嵌合部Ｆは、表示部材２０を介し弾性部材１４により上方に向かう付勢を受けているため、嵌合溝１９と爪部１８の嵌合が解除されたことで上昇し、被嵌合部Ｆと第一の嵌合部Ｋ１とは離間する。また、この時、同時に表示部材２０は弾性部材１４の付勢によってリブ片２０ａが表示窓２２の上端に達するまで上昇するため、表示窓２２は表示部材２０のリブ片２０ａよりも下方の着色であるグレー色が表示された状態で停止する。
このように、表示窓２２にグレー色が表示され、接続が解除されたことを確認可能とした上で、押しスイッチ部１６ａの押し込み操作だけで、被嵌合部Ｆと第一の嵌合部Ｋ１の接続解除が完了する。
【００３７】
また、上記被嵌合部Ｆと第一の嵌合部Ｋ１においては、接続完了後に、接続の解除を防ぐための封印として、押しスイッチ部材１６を覆う封印カバー２３ａを用いることができる。封印カバー２３ａは、略直方体形状にして少なくとも一面が開口した箱体であり、施工完了後に開口側から押しスイッチ部材１６を覆うように嵌合させることで、押しスイッチ部１６ａに対する操作を防止し、接続状態が解除されることを防ぐ、封印としての機能を果たす。
また、この封印カバー２３ａは接続を行う前に押しスイッチ部材１６を覆うように嵌合させておいても良い。被嵌合部Ｆの、第一の嵌合部Ｋ１への挿入に際して、押しスイッチ部材１６は若干の回動を生じるが、図２より明らかなように、この際の押しスイッチ部材１６の動作は、封印カバー２３ａに干渉しないため、接続作業の前に封印カバー２３ａを取り付けた上で接続を行っても、何ら支障を生じない。
【００３８】
以下に、第二の嵌合部Ｋ２について説明する。
第二の嵌合部Ｋ２は、図３乃至図７に示したように、以下に記載する、第二の接続筒本体部Ｋ２１、リング部材１７、表示部材２０、弾性部材１４、より構成されてなる。
第二の接続筒本体部Ｋ２１は、その内径が、対応する被嵌合部Ｆの外径とほぼ同じで若干大径となる略円筒形状を成し、その側面に上側（接続が行われる端部に近い側）から順に、中心を介して対向する位置に二か所設けられた、後述する爪部１８が貫通するスリット部２１、後述する表示部材２０が係止配置される開口からなる表示窓２２、及び表示窓２２の下方であって、その内部に設けられた、弾性部材１４が配置される段部を備えてなる（段部の上方と下方とで内径は変化する）。また、各部の上下方向の長さと配置は、対応する被嵌合部Ｆと合わせて、後述する接続作業が適正に行われる長さに構成されてなる。
リング部材１７は、平面視楕円形状に形成された部材であり、図５乃至図７に示したように、楕円の短辺部分の頂点部分に、突出した円弧部分からなる弾性部２６を設け、ある程度楕円の長辺部分が離間する方向に応力が作用すると、この弾性部２６が弾性変形し、長辺間を離間させることができる。また、この長辺部分に加わる離間方向の応力が解除されると、弾性部２６の作用によって、長辺部の間隔は再び応力が加わる前の状態に戻る。
また、リング部材１７の短辺部分の外側面部分には、当該部分に触れてリング部材１７を回転させることを容易に行う為の回転スイッチ部１７ａを設けてなる。
また、リング部材１７の長辺部分の内周部分には、接続時スリット部２１を介して、嵌合溝１９に嵌合する爪部１８を備えてなる。
また、爪部１８の先端は傾斜が設けられており、接続作業時、被嵌合部Ｆを挿入する際には傾斜によって爪部１８が第二の接続筒本体部Ｋ２１の外径側に移動する。
表示部材２０は表示部の内側に、上下動自在に配置される部材であって、一部に外方向に突出したリブ片２０ａを設け、このリブ片２０ａが表示窓２２と嵌合するように構成される。また、表示部材２０の外側面の内、リブ片２０ａよりも上方は赤色が、下方はグレー色が、それぞれ表示されてなる。
弾性部材１４はその外径が、第二の接続筒本体部Ｋ２１の内径よりも若干小径となる径のスプリング材からなる。
また、スリット部２１の側面と、爪部１８の側面には傾斜が設けられ、爪部１８側面がスリット部２１側面に強く押し当てられると、爪部１８側面がスリット部２１側面に乗り上げるように作動して拡径し、お互いに離間する方向に応力が作用する。
【００３９】
上記のように構成された、第二の嵌合部Ｋ２は、以下のように組み立てされる。
第二の接続筒本体部Ｋ２１内側の段部上に、弾性部材１４を載置し、更にその上に表示部材２０を配置し、表示窓２２にリブ片２０ａを嵌合させる。表示部材２０は弾性部材１４の弾発によって、常時上方に付勢される為、表示部材２０のリブ片２０ａが表示窓２２の上縁によって係止される位置まで押し上げられ、結果として表示窓２２には表示部のリブ片２０ａよりも下方にあるグレー色が表示される。
更に、第二の接続筒本体部Ｋ２１のスリット部２１に、リング部材１７の爪部１８を挿入し、爪部１８が第二の接続筒本体部Ｋ２１内に突出するように嵌合させる。これにより、弾性部２６の作用によって、爪部１８がスリット部２１を貫通して第二の接続筒本体部Ｋ２１の内部に突出した状態で付勢される。
このようにして、第二の嵌合部Ｋ２が構成される。
【００４０】
上記のように構成された、被嵌合部Ｆと第二の嵌合部Ｋ２は、以下のようにして水密的に接続され、また接続を解除することができる。
図３に示したように、第二の接続筒本体部Ｋ２１の内側に、被嵌合部Ｆを挿入すると、被嵌合部Ｆの先端が、爪部１８、表示部材２０、弾性部材１４を通過する。
次いで、被嵌合部Ｆの当接面１５が、爪部１８の傾斜に当接し、弾性部２６の付勢に抗して、爪部１８を第二の接続筒本体部Ｋ２１の外側方向に押し広げた上で、表示部材２０の上端に当接する。この状態では、爪部１８の先端は被嵌合部Ｆの外周縁の位置まで拡径するが、スリット部２１の外側面の位置までは拡径していないため、第二の接続筒本体部Ｋ２１とリング部材１７との嵌合は解除されない。この状態より、更に被嵌合部Ｆを押し込むと、弾性部材１４の弾発に抗して被嵌合部Ｆの当接面１５が表示部材２０を押し下げ、表示窓２２の外側に突出するリブ片２０ａが下方に下がる。更に被嵌合部Ｆを押し下げると、以下の動作１．乃至動作３．が同時に生じて、被嵌合部Ｆと第一の嵌合部Ｋ１の接続が完了する。
動作１．ＯリングＯが第二の接続筒本体部Ｋ２１の内面に当接して、被嵌合部Ｆと第二の接続筒本体部Ｋ２１との間に水密的な接続を生じる。
動作２．表示部材２０のリブ片２０ａが表示窓２２の下端部分まで降下し、表示窓２２には表示部材２０のリブ片２０ａよりも上方に着色された赤色が表示される。
動作３．嵌合溝１９が爪部１８の先端の位置に達し、押しスイッチ部材１６の弾性部２６の弾性により爪部１８が再び第二の接続筒本体部Ｋ２１の内径方向に突出して嵌合溝１９と嵌合し、被嵌合部Ｆが第二の嵌合部Ｋ２から抜脱不能となる。
このように、表示窓２２に赤色が表示され、接続が適切に行われたことを確認可能とした上で、被嵌合部Ｆの差し込み操作だけで、被嵌合部Ｆと第二の嵌合部Ｋ２の接続が完了する。
【００４１】
段落００４０に記載したように、被嵌合部Ｆと第二の嵌合部Ｋ２とが接続を完了した状態において、以下のように操作を行うことで接続を容易に解除することができる。
被嵌合部Ｆと第二の嵌合部Ｋ２とが接続を完了した状態より、リング部材１７の回転スイッチ部１７ａを利用してリング部材１７を回転させると、スリット部２１の端部に、リング部材１７の爪部１８側面が乗り上げるようにして移動し、弾性部２６が弾性変形して、リング部材１７の長辺部分を離間するように応力を生じさせる。これにより、爪部１８が第二の接続筒本体部Ｋ２１の外径方向に移動し、被嵌合部Ｆの嵌合溝１９と爪部１８との嵌合が解除される。
被嵌合部Ｆは、表示部材２０を介し弾性部材１４により上方に向かう付勢を受けているため、嵌合溝１９と爪部１８の嵌合が解除されたことで上昇し、被嵌合部Ｆと第二の嵌合部Ｋ２とは離間する。また、この時、同時に表示部材２０は弾性部材１４の付勢によってリブ片２０ａが表示窓２２の上端に達するまで上昇するため、表示窓２２は表示部材２０のリブ片２０ａよりも下方の着色であるグレー色が表示された状態で停止する。
このように、表示窓２２にグレー色が表示され、接続が解除されたことを確認可能とした上で、押しスイッチ部１６ａの押し込み操作だけで、被嵌合部Ｆと第二の嵌合部Ｋ２の接続解除が完了する。
【００４２】
また、上記被嵌合部Ｆと第二の嵌合部Ｋ２においては、接続完了後に、接続の解除を防ぐための封印として、リング部材１７の回転を防ぐ封印リング２３ｂを用いることができる。封印リング２３ｂは、板材乃至ブロック体の中央を、リング部材１７の回転スイッチ部１７ａに当接し、その他の部分には隙間を生じるような形状で開口を設けたはめ込み部を備えてなり、その外周縁は第二の嵌合部Ｋ２の近傍の被円形形状の部分に当接する形状を成す。このため、封印リング２３ｂを、外周縁が第二の嵌合部Ｋ２の近傍部分に当接し、はめ込み部にリング部材１７が当接するように取り付けることで、リング部材１７に対する回転操作を防止し、接続状態が解除されることを防ぐ、封印としての機能を果たす。
また、この封印リング２３ｂは接続を行う前に押しスイッチ部材１６を覆うように嵌合させておいても良い。被嵌合部Ｆの、第二の嵌合部Ｋ２への挿入に際して、爪部１８と、爪部１８を有する長辺部分は離間する方向に押し広げられるが、この際にリング部材１７を回転させるような応力は生じず、また長辺部分と封印リング２３ｂの間には隙間が設けられており、長辺部分が離間する方向に移動しても、封印リング２３ｂに干渉しないため、接続作業の前に封印リング２３ｂを取り付けた上で接続を行っても、何ら支障を生じない。
【００４３】
また、上記嵌合部と被嵌合部Ｆにおいては、必要に応じ、図８乃至図１０に示したように、嵌合部の側面に通水部を設けてもよい。
図８乃至図１０に示した嵌合部においては、ＯリングＯよりも上方、具体的には表示窓２２と同じ高さに通水部としての通水孔２７を設けてなり、また接続時においてこの通水孔２７に連通するようにして被嵌合部Ｆにも通水孔２７を設けてなる。
また、この通水孔２７に対応する部分については表示部材２０も切り欠いて構成してなる。
このように構成することで、接続自体は水密を保ちつつ、嵌合部や被嵌合部Ｆの外側から内側に排水を通水させることができる。
このような構成を利用することで、後述する第一実施例の防臭筒４、また逆流防止弁６では設置面上に溜り水を生じないようにすることができる。
また、嵌合部のみ通水孔２７を設け、被嵌合部Ｆには通水孔２７を設けないようにすれば、接続を解除した時のみ、設置面上に溜り水を生じないようにすることができる。
この嵌合部のみ通水孔２７を設けた構成を利用することで、後述する第四実施例のトラップ本体１は、防臭筒４との接続を解除した時のみ、トラップ本体１内に溜り水を生じないようにすることができる。尚、図８乃至図１０に図示した嵌合部は、第一の嵌合部Ｋ１であるが、同様の通水孔２７を第二の嵌合部Ｋ２に設けるても、何ら支障は無い。）。
【００４４】
以下に本発明の実施例を、図面を参照しつつ説明する。
尚、以下の段落００４５乃至段落００７３に記載した各実施例では、各排水機器の接続部分には、段落００３３乃至段落００４３にて記載した、被嵌合部Ｆと第一の嵌合部Ｋ１とからなる第一の接続構造、または被嵌合部Ｆと第二の嵌合部Ｋ２とからなる第二の接続構造のいずれかが採用されてなる。
説明を容易にするため、実施例の接続箇所には、被嵌合部Ｆ、第一の嵌合部Ｋ１、または第二の嵌合部Ｋ２の記載のみ行い、必要の無い限り各部材、部分については詳細を記載しない。
また、実施例における被嵌合部Ｆは使用される箇所に合わせて形状や軸方向長さなどの寸法はそれぞれ異なり、また第一の嵌合部Ｋ１また第二の嵌合部Ｋ２についても、接続する被嵌合部Ｆに合わせて形状や寸法はそれぞれで異なるものである。つまり、「被嵌合部Ｆ」「第一の嵌合部Ｋ１」「第二の嵌合部Ｋ２」はそれぞれの機能を有する、ということを示すものであって、同じ名称であっても、特に記載しない限り、同一の寸法・形状であるとは限らない。このため、特定の嵌合部（又は被嵌合部Ｆ）に対して、適正な接続ができる形状や寸法の被嵌合部Ｆ（又は嵌合部）を、以下の実施例では「対応する」と表現する。
また、段落００４３に記載した、通水部としての通水孔２７を設けた嵌合部や被嵌合部Ｆについては、その旨特記するものであって、特に記載の無い場合は、通水孔２７等、嵌合部の外側から内側に通水を行う通水部は備えないものである。
【００４５】
以下に本発明の第一実施例を、図面を参照しつつ説明する。
図１１に図示した第一実施例の浴室の排水配管は、以下に記載した槽体としての浴槽Ｂ、浴槽パンＰ１、洗い場パンＰ２、排水器としての浴槽排水器２８、浴槽パン排水器２９、排水トラップ、浴槽Ｂの排水口を遠隔操作にて開閉する遠隔操作式排水栓装置、より構成されてなる。
浴槽Ｂは、上方が開口した直方体形状の槽体であって、底面に浴槽排水口Ｈ１が設けられている。該浴槽排水口Ｈ１の下方には、浴槽Ｂと一体にして円筒部分が設けられ、この円筒部分に被嵌合部Ｆが形成されてなる。また上縁部周縁（リム面）にも開口が設けられ、該開口の下方には、浴槽Ｂと一体にして円筒形状からなる操作部１０部分が設けられ、この操作部１０部分にも被嵌合部Ｆが形成されてなる。
浴槽パンＰ１は、上記浴槽Ｂを載置する防水パンと呼ばれる底面に開口を備える槽体である（底面積に比べ側面の高さが低いが、施工完了時には四方を壁で覆い、その内部に排水が流入するように構成されるため、槽体である）。
洗い場パンＰ２は、上記浴槽パンＰ１に隣接して設けられる、浴室の使用者が身体を洗う等する防水パン（浴槽パンＰ１と同様の理由により槽体）であって、底面に開口を備えてなる。
浴槽排水器２８は、略円筒状の部材であって、上端の開口部分には浴槽排水口Ｈ１の被嵌合部Ｆに対応する第一の嵌合部Ｋ１が、下端の開口には被嵌合部Ｆが、それぞれ設けられると共に、その側面に、端部に浴槽Ｂの操作部１０の被嵌合部Ｆと同一の形状／寸法にて構成された被嵌合部Ｆが設けられた、レリースワイヤ４０の挿通口１１が設けられてなる。また、その内部には、後述する遠隔操作式排水栓装置の支持部材３０を配置固定可能なように構成されてなる。
浴槽パン排水器２９は、浴槽パンＰ１に取り付けられる排水器であって、有底略円筒形状にして上端に第二の嵌合部Ｋ２を備えた本体部分と、本体部分の側面に、後述する排水トラップを接続するための、被嵌合部Ｆを設けた接続部２９ａを備えてなる。
また、以下に記載する浴槽パンフランジ部材３１ａ及びナット部材３２を用いて浴槽パンＰ１に取り付けられる。
浴槽パンフランジ部材３１ａは、略円筒形状にして上方に円周に沿って外方向に突出したフランジ部３１ｃと、該円筒部分の外側面に雄ネジを設けてなり、また円筒部分の内部に浴槽パン排水口Ｈ２を形成する。また、雄ネジの更に下方に、上記浴槽パン排水器２９の第二の嵌合部Ｋ２に対応する被嵌合部Ｆを設けてなる。
浴槽パンナット部材３２ａは、上記浴槽パンフランジ部材３１ａの雄ネジと螺合する雌ネジを有する部材である。
排水トラップは、以下に記載する、排水器であるトラップ本体１、防臭筒４、洗い場パンフランジ部材３１ｂ、洗い場パンナット部材３２ｂ、からなる。
トラップ本体１は、洗い場パンＰ２に取り付けられる排水器であって、上方に第二の嵌合部Ｋ２を備えた開口を、内部に排水を溜める封水椀部３を、封水椀部３の側面に、浴槽パン排水器２９の接続部２９ａに接続される、接続部２９ａの被嵌合部Ｆに対応する第一の嵌合部Ｋ１を備えた枝管部１ａを、それぞれ設けてなる。また、トラップ本体１の外側面に、内部の排水を排出するための、第一の嵌合部Ｋ１を備えた排出口１ｃを設けてなる。また、排出口１ｃの第一の嵌合部Ｋ１に対応する被嵌合部Ｆを備えた、床下配管のパイプ管に接着にて取り付けられるソケット部材２を備えてなる。
洗い場パンフランジ部材３１ｂは、略円筒形状にして上方に円周に沿って外方向に突出したフランジ部３１ｃと、該円筒部分の外側面に雄ネジと、円筒部分の底面部分から、垂立するように設けた第二の嵌合部Ｋ２を設けてなり、該第二の嵌合部Ｋ２の内部に洗い場パン排水口Ｈ３を形成する。
尚、この第二の嵌合部Ｋ２は、通水部としての通水孔２７を設けた第二の嵌合部Ｋ２である。通水孔２７の下端は、洗濯パンフランジ部材３１上面の、最も低い位置となるように構成されてなる。
また、雄ネジの更に下方に、上記トラップ本体１の第二の嵌合部Ｋ２に対応する被嵌合部Ｆを設けてなる。
洗い場パンナット部材３２ｂは、上記洗い場パンフランジ部材３１ｂの雄ネジと螺合する雌ネジを有する部材である。
防臭筒４は、略円筒形状にして、下端は封水椀部３内に配置されるように構成され、上方には洗い場パンフランジ部材３１ｂの第二の嵌合部Ｋ２に対応する被嵌合部Ｆを備えてなる。また、該防臭筒４は、その側面であって、接続時に第二の嵌合部Ｋ２の通水孔２７に対応する位置に、通水孔２７を設けてなる。この防臭筒４は、施工完了時下端がトラップ本体１の封水椀部３内に配置されることで、流路の一部を満水状態とし、トラップ本体１に水封状態を発生させる。即ち、防臭筒４は、封水部材である。
洗い場パン排水口Ｈ３には、下記に記載するカバー部材３３が水密的に備えられる。
カバー部材３３は、浴槽パン排水口Ｈ２を覆うように配置される部材であって、浴槽排水器２８の下端に設けた被嵌合部Ｆに対応する第一の嵌合部Ｋ１と、後述する逆流防止弁６を接続するための第二の被嵌合部Ｆを備えてなる。尚、この第二の嵌合部Ｋ２は、通水部としての通水孔２７を設けた第二の嵌合部Ｋ２である。通水孔２７の下端は、カバー部材３３上面の、最も低い位置となるように構成されてなる。
該逆流防止弁６は、浴槽パン排水口Ｈ２において、浴槽パンＰ１上から浴槽パン排水器２９内に排水が流入する際には排水を通過させ、浴槽パン排水器２９内から浴槽パンＰ１上に排水が逆流しようとする際には浴槽パン排水口Ｈ２を閉塞して排水の逆流を防止する部材であって、本実施例では、逆流防止弁６として、通常時浴槽パン排水口Ｈ２を開口して逆流時にのみ弁体が逆流した排水に浮力や逆流水の勢いで上昇し開口を閉塞する、流入口に対して着脱自在なフロート式逆流防止弁６が使用されている。
具体的には、上面に開口を有し、側面にカバー部材３３の第二の嵌合部Ｋ２に対応する被嵌合部Ｆを設けたケーシングと、逆流時この開口を閉塞する、比重が１よりも小さい弁体と、該弁体の上下動をガイドするガイド軸と、からなる。また、該逆流防止弁６は、その側面であって、接続時に第二の嵌合部Ｋ２の通水孔２７に対応する位置に、通水孔２７を設けてなる。遠隔操作式排水栓装置は、浴槽排水器２８内部に設けられた浴槽排水口Ｈ１を、遠隔操作式により開閉するための排水装置であって、以下に記載するガイド管継手１２ａ、レリースワイヤ４０、支持部材３０、弁部材３４、及びガイド管１２からなる。
ガイド管継手１２ａは、円筒形状にして一端はガイド管１２に挿入されるようにして接続され、他端には操作部１０の被嵌合部Ｆ、及び浴槽排水器２８の挿通口１１の被嵌合部Ｆに対応する第一の嵌合部Ｋ１が設けられてなる。当該ガイド何継手は、一組の遠隔操作式排水栓装置に同一のものが２つ用意され、共にガイド管１２の両端に取り付けられる。
レリースワイヤ４０は、側面方向に可撓性を、軸方向に剛性を備えた筒状のアウターチューブ、アウターチューブ内部を摺動する、やはり側面方向に可撓性を、軸方向に剛性を備えたインナーワイヤ、インナーワイヤの一端に備えられた弁軸部２５、及び弁軸部２５と反対側に備えられた、ボタン部を備えてなり、ボタン部の押し操作毎に弁軸部２５を突出した状態で固定／固定を解除して弁軸部２５の突出を引き戻す保持機構、から構成されてなる。レリースワイヤ４０の端部にある保持機構は、ガイド管継手１２ａ内部に収納固定されるように構成されてなり、またボタン部はレリースワイヤ４０の操作部１０の端部から、嵌合によって着脱自在に構成されてなる。
支持部材３０は、レリースワイヤ４０端部を浴槽排水器２８の内部に支持固定する部材である。
弁部材３４は略円盤形状の部材であって、下面中央部が、弁軸部２５先端と嵌合するように構成されてなる。
ガイド管１２は側面方向に可撓性を、軸方向に剛性を備えたビニールチューブ管であって、その両端にそれぞれガイド管継手１２ａが挿入された状態で、バンド部材（図示省略）により接続固定される。
【００４６】
上記のように構成された第一実施例の浴室の排水配管は、以下のようにして浴室に施工される。尚、全ての第一の嵌合部Ｋ１の押しスイッチ部１６ａには、施工前の時点で封印カバー２３ａが取り付けられてなる（図示省略）。また、カバー部材３３の、逆流防止弁６が接続される第二の嵌合部Ｋ２の回転スイッチ部１７ａ、及び浴槽パンフランジ部材３１ａの第二の嵌合部Ｋ２の回転スイッチ部１７ａ、以外の第二の嵌合部Ｋ２の回転スイッチ部１７ａには、施工前の時点で封印リング２３ｂが取り付けられてなる（図示省略）。
また、第一または第二の嵌合部Ｋ２と、被嵌合部Ｆとの接続において、施工作業者は接続完了時に表示窓２２を確認し、表示窓２２に施工が適正に完了したことを示す、赤色が表示されていることを確認するものとする。
以下に、工場における施工作業を記載する。この工場における施工作業では、螺合等で接続を行う場合には、螺合のための治具が用意され、ネジ締め付け時のトルク管理や正しく水密的に接続ができているかどうか検証するための試験治具も用意されており、ネジの螺合等の接続について、施工現場に比べ、適正な接続作業を容易且つ確実に行い、また必要があれば接続が適正か容易に確認することができる。
まず、浴槽パンＰ１の開口に、浴槽パンフランジ部材３１ａの円筒部分を挿通し、フランジ部３１ｃの下面に開口の周縁が当接するように配置する。更に浴槽パンフランジ部材３１ａの雄ネジに浴槽パンナット部材３２ａの雌ネジを螺合させる。この接続の際には、パンの上方から、それぞれのフランジ部材３１を治具で回転させて螺合させる。また、特に詳述しないが、接続の際にはそれぞれの開口の周縁にパッキングを配置し、水密的に接続させる。
同様に、洗い場パンＰ２の開口に、洗い場パンフランジ部材３１ｂを、パッキングを介し、洗い場パンナット部材３２ｂを用いて水密的に接続する。
それぞれの接続は、上述のように機材・治具が揃っている工場にて行われる為、螺合による接続であっても、接続は現場にて行うより容易且つ確実で、また締め付けが適正に行われているかを確認することも試験治具を利用して容易に行うことができる。尚、従来例において、同様に工場にてフランジ部材３１と浴槽排水器２８やトラップ本体１の接続を行わなかったのは、浴槽排水器２８やトラップ本体１の全高は、第一実施例の各フランジ部材３１／ナット部材３２の全高よりも高く、接続を行うと浴槽パンＰ１／洗い場パンＰ２の下方に大きく突出し、浴槽パンＰ１／洗い場パンＰ２を保管する為に積層しようとした時に干渉して積層ができなくなる、現場への搬入時に浴槽パン排水器２９やトラップ本体１が衝突・破損する可能性が極めて高くなる、などの問題点があったためである。本実施例のように浴槽パンフランジ部材３１ａと浴槽パンナット部材３２ａ、洗い場パンフランジ部材３１ｂと洗い場パンナット部材３２ｂの接続だけであれば、浴槽パンＰ１／洗い場パンＰ２の下面への突出はほとんどなく、上述のような積層／搬入時の破損の問題は生じない。
次に、遠隔操作式排水栓装置について、以下の施工を行う。
まず、ガイド管１２の両端に、ガイド管継手１２ａを挿入し、バンド部材によって接続固定する。
次に、ガイド管１２の一端にあるガイド管継手１２ａの被嵌合部Ｆを、浴槽排水器２８の挿通口１１の第一の嵌合部Ｋ１に接続する。
次に、レリースワイヤ４０を、弁軸部２５を先頭にして操作部１０側のガイド管継手１２ａ内に挿通し、先端部を、操作部１０内部、ガイド管１２、挿通口１１、を介し浴槽排水器２８内まで挿通させる。
次に、浴槽排水器２８の第一の嵌合部Ｋ１の側からレリースワイヤ４０先端を引き上げ、支持部材３０によって、レリースワイヤ４０先端部分浴槽排水器２８内に配置固定する。
これらのレリースワイヤ４０の接続作業は、従来例においては、浴槽Ｂ設置の前後に行うものであったが、嵌合部と被嵌合部Ｆを利用した、全ての接続作業を浴槽Ｂの下方から差し込むだけで接続が完了する構造を採用したことで、施工現場ではなく工場において行うことができる（むろん従来例と同様に、施工現場で行うこともできる）。このようにすることで、従来例では浴槽Ｂ内の狭隘な箇所に身を乗り出し、浴槽Ｂ底面の開口まで手を伸ばして接続しなければ作業ができないところ、本実施例では、遠隔操作式排水栓装置の部材全てが作業者の手元にあって自由に動かしながら作業が行えるため、施工作業を極めて容易に行うことができる。
【００４７】
以降の作業は、浴槽パンＰ１／洗い場パンＰ２を含む各部材を、施工現場に搬入して行う。
まず、設置個所に浴槽パンＰ１、洗い場パンＰ２を設置する。
次に、浴槽パン排水器２９の接続部２９ａの被嵌合部Ｆを、トラップ本体１の枝管部１ａの第一の嵌合部Ｋ１に接続する。
次に、床下配管のパイプ管にソケット部材２を接着にて取り付けた上で、ソケット部材２の被嵌合部Ｆとトラップ本体１の排出口１ｃの第一の嵌合部Ｋ１を接続する。
次に、浴槽パンフランジ部材３１ａの被嵌合部Ｆと浴槽パン排水器２９の第二の嵌合部Ｋ２、及び洗い場パンフランジ部材３１ｂの被嵌合部Ｆとトラップ本体１の第二の嵌合部Ｋ２とを、それぞれ接続する。
次に、浴槽パン排水口Ｈ２にカバー部材３３を配置する。カバー部材３３の周囲にはパッキングが配置され、浴槽パン排水口Ｈ２とカバー部材３３は水密的に接続される。
次に、カバー部材３３に設けられた第一の嵌合部Ｋ１に浴槽排水器２８の被嵌合部Ｆを、第二の嵌合部Ｋ２に逆流防止弁６を、それぞれ接続する。
次に、浴槽Ｂを浴槽パンＰ１に載置する。この際に、浴槽排水器２８の上部の第一の嵌合部Ｋ１に、浴槽排水口Ｈ１の被嵌合部Ｆが接続されるように位置を調整しながら行う。この浴槽排水口Ｈ１と浴槽排水器２８の接続は、浴槽排水口Ｈ１に設けられた被嵌合部Ｆと、浴槽排水器２８に設けられた第一の嵌合部Ｋ１と、により、差し込み作業のみで嵌合による抜脱の無い接続を完了させることができる。
従来の浴槽Ｂと浴槽パンＰ１の間は極めて狭隘で、浴槽排水口Ｈ１から浴槽パン排水口Ｈ２に至る流路の接続には、どこかの部分をただ載せるだけ、ただ差し込むだけ、といった位置ずれや抜脱の生じる方法で接続するしかなかった。しかし、本実施例では、被嵌合部Ｆを嵌合部に差し込むだけで接続できる、という長所を利用して、浴槽排水口Ｈ１から浴槽パン排水口Ｈ２に至る流路の接続を、嵌合による、抜脱の生じない接続方法で接続することができる。
次に、操作部１０の被嵌合部Ｆと、ガイド管１２の第一の嵌合部Ｋ１を接続する。
次に、防臭筒４の被嵌合部Ｆに、洗い場パンフランジ部材３１ｂの第二の嵌合部Ｋ２を接続する。
更に、浴槽排水口Ｈ１内に配置された弁軸部２５の先端に弁部材３４を、操作部１０のレリースワイヤ４０端部にボタン部を、それぞれ接続して、第一実施例の浴槽Ｂの接続が完了する。
上記した接続作業について、被嵌合部Ｆと第一の嵌合部Ｋ１、または被嵌合部Ｆと第二の嵌合部Ｋ２によって接続作業を行う場合には、被嵌合部Ｆを嵌合部に差し込むだけで接続作業が完了し、また表示窓２２を確認するだけで、接続が適正に行われたことを確認できる。
【００４８】
上記のように構成された本実施例の浴室の排水配管は、段落０００４に記載した従来例と同様の方法にて使用することができ、生じた排水を処理することができる。
尚、洗い場パンフランジ部材３１ｂと防臭筒４との接続構造、及びカバー部材３３と逆流防止弁６との接続構造には、通水孔２７をから水抜き穴を介して排水がなされるように構成されており、洗い場パンフランジ部材３１ｂ及びカバー部材３３上に排水の溜まりが生じることは無い。
【００４９】
上記第一実施例において、使用者がトラップ本体１内部や、逆流防止弁６に対して清掃を行う場合があるが、このような場合に、使用者は、洗い場パンフランジ部材３１ｂや、カバー部材３３に設けられた回転スイッチ部１７ａに操作を加えることで、防臭筒４や逆流防止弁６を取り出し、防臭筒４や逆流防止弁６またトラップ本体１内部を清掃することができる。
また、清掃後にこれらの部材を接続し直す際には、接続の作業は上述のように差し込むだけで完了し、且つ表示窓２２の表示色を確認するだけで適正に行うことができていることが確認でき、極めて容易かつ確実に接続を行うことができる。
更に、清掃などの際に接続を解除する必要の無い（付言すれば解除すると漏水が生じるため解除してはならない）箇所の押しスイッチ部１６ａ、または回転スイッチ部１７ａには、封印カバー２３ａまたは封印リング２３ｂが取り付けられ、使用者はこれらの接続箇所に対しては解除を行うべきでないと理解すると共に、誤って解除することを防止することができる。
また、上記実施例の浴槽排水口Ｈ１及び操作部１０は、被嵌合部Ｆが浴槽Ｂと一体に設けられているため、その周囲に従来例のような継ぎ目などが無く、清掃性が悪い、といった問題が生じない。
【００５０】
また、上記第一実施例において、排水機器のいずれかが破損し、交換などの必要が生じた場合、修理者（通常は適正な知識を持った修理業者）は、必要な箇所の封印カバー２３ａまたは封印リング２３ｂを取り除き、押しスイッチ部１６ａ、または回転スイッチ部１７ａに対して操作を行い、破損した排水機器の接続を解除して破損した排水機器を取り除き、新しい（破損の無い）排水機器と交換した上で、改めて接続作業を行い、修理を完了することができる。これらの作業も、解除に対しては押しスイッチ部１６ａ、または回転スイッチ部１７ａを操作するだけ、接続については差し込み操作するだけ、で容易に修理作業を行うことができる。尚、遠隔操作式排水栓装置のレリースワイヤ４０の破損については、浴槽排水口Ｈ１から支持部材３０と浴槽排水口Ｈ１／レリースワイヤ４０の接続を解除し、操作部１０側からレリースワイヤ４０を引き抜くことでレリースワイヤ４０を取り出し、新しいレリースワイヤ４０を逆の手順で取り付けることで修理作業を行うことができる。
【００５１】
以下に本発明の第二実施例を、図面を参照しつつ説明する。
図１２に示す本発明の第二実施例は、洗面台Ｓの排水配管に関するものであって、以下に記載する、洗面排水器３５、排水トラップ、オーバーフロー配管、遠隔操作式排水栓装置、下流側排水器３６、ソケット部材２、から構成されてなる。
洗面台Ｓは、以下に記載する洗面ボウルＳ１、およびキャビネット部Ｃから構成される。
洗面ボウルＳ１は、上方が開口した槽体であって、底面に洗面排水口Ｈ４が、側面であって上縁近傍にオーバーフロー排水口３７が、それぞれ設けられてなる。該洗面排水口Ｈ４の下方には、洗面ボウルＳ１と一体にして円筒部分が設けられ、この円筒部分に被嵌合部Ｆが形成されてなる。また、オーバーフロー排水口３７の外側方向にも、洗面ボウルＳ１と一体にして略楕円形状の筒状部分が設けられ、この筒状部分に被嵌合部Ｆが形成されてなる。
また、洗面ボウルＳ１の上縁部にも遠隔操作式排水栓装置の操作部１０を取り付けるための開口が設けられてなる。
キャビネット部Ｃは、前面に、開閉する扉のついた箱体であって、その上方に洗面ボウルＳ１を載置すると共に、その内部に洗面台Ｓの排水配管が配置される。
洗面排水器３５は、略円筒状の部材であって、上端の開口部分には、洗面排水口Ｈ４の被嵌合部Ｆに対応する第一の嵌合部Ｋ１が、下端の開口部には被嵌合部Ｆが、それぞれ設けられると共に、その側面に、端部に第一の嵌合部Ｋ１を設けたレリースワイヤ４０の挿通口１１が設けられてなる。また、その内部には、後述する遠隔操作式排水栓装置の支持部材３０を配置固定可能なように構成されてなる。
排水トラップは、以下に記載するトラップ本体１、封水椀部３、から構成されてなる。
トラップ本体１は上端部を壁面にて閉塞した略円筒形状の部材であって、その外側面に排出口１ｃを設けると共に、その外側面下端に被嵌合部Ｆが設けられてなる。また、排出口１ｃの端部にも被嵌合部Ｆが設けられてなる。
また、上面を覆う壁面に、洗面排水器３５の下端の被嵌合部Ｆに対応する第二の嵌合部Ｋ２を備え、該第二の嵌合部Ｋ２から円筒部分である防臭筒４が垂下するように備えられてなる。
また、上面を覆う壁面、オーバーフロー配管を接続する為の、第二の嵌合部Ｋ２からなるオーバーフロー嵌合部１ｂを設けてなる。
封水椀部３は、有底略円筒形状の部材であって、上縁部分には、トラップ本体１の外側面の下端に設けた被嵌合部Ｆに対応する第一の嵌合部Ｋ１が設けられてなる。尚、該封水椀部３は、使用時においてその内部に水封状態を生じさせる封水部材である。
オーバーフロー配管は以下に記載する、オーバーフロー排水器９、ホース管３８、ホース管継手３８ａ、オーバーフロー防臭筒３９、から構成されてなる。
オーバーフロー排水器９は、上流側の端部が楕円形状を成す管体をＬ字形状に屈曲させた排水器であって、側面にオーバーフロー排水口３７の被嵌合部Ｆに対応する第一の嵌合部Ｋ１を、下端部分には被嵌合部Ｆを備えてなる。
ホース管３８は塩ビ素材からなる可撓管であって、一端に後述するホース管継手３８ａを、他端に同じく後述するオーバーフロー防臭筒３９を、それぞれ接着により接続してなる。
ホース管継手３８ａは、円筒状の部材であって、一端にオーバーフロー排水器９の被嵌合部Ｆに対応する第一の嵌合部Ｋ１を設け、他端はホース管３８に挿入された状態にて接着され接続固定される。
オーバーフロー防臭筒３９は、円筒状の部材であって、その中間部分に、トラップ本体１のオーバーフロー嵌合部１ｂに対応する被嵌合部Ｆを備えてなり、他端はホース管３８に挿入された状態にて接着され接続固定されてなる。オーバーフロー防臭筒３９は、施工が完了してオーバーフロー嵌合部１ｂに接続された際、その先端がトラップ本体１の内部であって、防臭筒４と同じ高さ位置まで挿入されるように構成されてなる。該オーバーフロー防臭筒３９は、使用時において封水椀部３内に配置されることで、オーバーフロー配管に対し水封状態を生じさせる封水部材である。
遠隔操作式排水栓装置は、以下に記載する、操作部１０、レリースワイヤ４０、支持部材３０、弁部材３４、から構成されてなる。
操作部１０は、洗面ボウルＳ１の上縁部の開口に取り付けられる、洗面排水口Ｈ４の開閉を操作する部材であって、レリースワイヤ４０に接続された状態で、ツマミ部１０ａの押し引きにより、レリースワイヤ４０のインナーワイヤを進退させる事ができる。
レリースワイヤ４０は、側面方向に可撓性を、軸方向に剛性を備えた筒状のアウターチューブ、アウターチューブ内部を摺動する、やはり側面方向に可撓性を、軸方向に剛性を備えたインナーワイヤ、インナーワイヤの一端に備えられたロッド部、及びレリースワイヤ４０を水密的な状態で貫通させると共に、洗面排水器３５の挿通口１１の第一の嵌合部Ｋ１に対応する被嵌合部Ｆを備えたキャップ部材１３、から構成されてなる。
支持部材３０は、レリースワイヤ４０を洗面排水器３５の内部に支持固定する部材である。
弁部材３４は略円盤形状の弁部と、弁部の下面中央部から下方に垂下されるロッド部とからなり、施工完了時、洗面排水口Ｈ４内であって、ロッド部の下端がインナーワイヤのロッド部上方に配置される。
下流側排水器３６は、略Ｌ字形状に屈曲した管体であって、上流側の端部には、トラップ本体１の排出口１ｃの被嵌合部Ｆに対応する第一の嵌合部Ｋ１が設けられ、下流側の端部には、被嵌合部Ｆが設けられてなる。
ソケット部材２は、床下配管に設けられた立ち上げ管Ｕに接着にて接続される略円筒形状の部材であって、上流側の端部に、下流側排水器３６の被嵌合部Ｆと嵌合する第一の嵌合部Ｋ１を設けてなる。
【００５２】
上記のように構成された第二実施例の洗面台Ｓの排水配管は、以下のようにして洗面台Ｓに施工される。尚、封水椀部３の第一の嵌合部Ｋ１の押しスイッチ部１６ａ以外の第一の嵌合部Ｋ１の押しスイッチ部１６ａには、施工前の時点で封印カバー２３ａ（図示省略）が取り付けられてなる。また、全ての第二の嵌合部Ｋ２の回転スイッチ部１７ａには、施工前の時点で封印リング２３ｂ（図示省略）が取り付けられてなる。
また、第一または第二の嵌合部Ｋ２と、被嵌合部Ｆとの接続において、施工作業者は接続完了時に表示窓２２を確認し、表示窓２２に施工が適正に完了したことを示す、赤色が表示されていることを確認するものとする。
まず、洗面ボウルＳ１の上縁部の開口に、遠隔操作式排水栓装置の操作部１０を取り付ける。
次に、洗面排水器３５の挿通口１１に、レリースワイヤ４０のロッド部側の端部を挿通し、第一の嵌合部Ｋ１側の開口からレリースワイヤ４０を引き上げ、支持部材３０を用いてレリースワイヤ４０を洗面排水器３５内に配置固定する。
次に、レリースワイヤ４０のキャップ部材１３を洗面排水器３５の挿通口１１に挿入し、挿通口１１の第一の嵌合部Ｋ１にキャップ部材１３の被嵌合部Ｆを接続する。
次に、レリースワイヤ４０の端部を操作部１０に接続した上で、洗面排水口Ｈ４の被嵌合部Ｆに、洗面排水器３５の第一の嵌合部Ｋ１を接続する。
次に、オーバーフロー排水器９の被嵌合部Ｆと、ホース管３８端部に取り付けたホース管継手３８ａの第一の嵌合部Ｋ１とを接続する。
次に、オーバーフロー排水口３７の被嵌合部Ｆと、オーバーフロー排水器９の第一の嵌合部Ｋ１とを接続する。尚、このオーバーフロー排水口３７の被嵌合部Ｆと、オーバーフロー排水器９の第一の嵌合部Ｋ１との開口は円形形状ではなく楕円形状を成してなるが、この形状の相違によっても特に接続、及び接続解除に何ら支障が出るものではない。
次に、トラップ本体１の被嵌合部Ｆと、封水椀部３の第一の嵌合部Ｋ１とを接続する。
次に、オーバーフロー防臭筒３９の被嵌合部Ｆと、トラップ本体１のオーバーフロー嵌合部１ｂとを接続する。
次に、洗面排水器３５の下端の被嵌合部Ｆと、トラップ本体１の上面中央の第二の嵌合部Ｋ２とを接続する。
次に、床下配管の立ち上げ管Ｕに、ソケット部材２を接着して取り付ける。
更に、下流側排水器３６の下流側端部にある被嵌合部Ｆと、ソケット部材２の第一の嵌合部Ｋ１とを接続する。
次に、トラップ本体１の排出口１ｃに設けた被嵌合部Ｆと、下流側排水器３６の第一の嵌合部Ｋ１とを接続する。
更に、洗面排水口Ｈ４内に弁部材３４を配置して、第二実施例の洗面台Ｓの排水配管の施工が完了する。
上記した接続作業について、被嵌合部Ｆと第一の嵌合部Ｋ１、または被嵌合部Ｆと第二の嵌合部Ｋ２によって接続作業を行う場合には、被嵌合部Ｆを嵌合部に差し込むだけで接続作業が完了し、また表示窓２２を確認するだけで、接続が適正に行われたことを確認できる。
【００５３】
上記のように構成された第二実施例における洗面台Ｓの排水配管において、遠隔操作式排水栓装置を操作し、洗面排水口Ｈ４が閉塞した状態、すなわちインナーワイヤが操作部１０側に後退し、弁部材３４が降下して弁体が洗面排水口Ｈ４を閉塞した状態とすることで、洗面ボウルＳ１内に吐水を溜めることができる。
洗面ボウルＳ１内に吐水が溜まり、オーバーフロー排水口３７の下端部分まで水位が上昇すると、排水は、洗面ボウルＳ１上縁に設けたオーバーフロー排水口３７から、オーバーフロー排水器９、ホース管継手３８ａ、ホース管３８、オーバーフロー防臭筒３９、封水椀部３、トラップ本体１の排出口１ｃ、下流側排水器３６、を介し、最終的に立ち上げ管Ｕ内から下水側に排出される。
また、遠隔操作式排水栓装置の操作部１０に操作を加え、インナーワイヤをロッド部側に突出させると、ロッド部の先端が、弁部材３４の弁軸下端を押し上げ、それによって弁部材３４全体が上昇して弁体も洗面排水口Ｈ４から離間するため、洗面排水口Ｈ４が開口する。
洗面排水口Ｈ４が開口した状態においては、排水は、洗面排水口Ｈ４から、洗面排水器３５、防臭筒４、封水椀部３、トラップ本体１の排出口１ｃ、下流側排水器３６、を介し、最終的に立ち上げ管Ｕ内から下水側に排出される。
また、これら排水を行う際、排水トラップの排出口１ｃの下端の高さまで、排水の溜まり部分である封水が生じる。この封水によって、洗面排水口Ｈ４やオーバーフロー排水口３７にトラップ機能が生じる。具体的には、少なくとも防臭筒４またはオーバーフロー防臭筒３９の、下端部分から排出口１ｃ下端までの部分が水封され、下水側から屋内側への害虫類また臭気の屋内側への逆流が防止される。
洗面排水口Ｈ４、オーバーフロー排水口３７については、この封水によって、防臭筒４、オーバーフロー防臭筒３９が常時満水状態になり、下水側の配管に対して水封される為、下水側からの臭気や害虫類が屋内側に逆流することが無い。
【００５４】
また、上記第二実施例において、使用者がトラップ本体１内部に対して清掃を行う場合があるが、このような場合に、使用者は、封水椀部３の第二の嵌合部Ｋ２の回転スイッチ部１７ａに操作を加えることで、トラップ本体１から封水椀部３を分離し、トラップ本体１内部や封水椀部３内を清掃することができる。
また、清掃後にこれらの部材を接続し直す際には、接続の作業は上述のように差し込むだけで完了し、且つ表示窓２２の表示色を確認するだけで適正に行うことができていることが確認でき、極めて容易かつ確実に接続を行うことができる。
【００５５】
また、第一実施例と同様に、破損時以外には接続を解除する必要が無い、或いは解除すると漏水が生じるため解除してはならない箇所の押しスイッチ部１６ａ、または回転スイッチ部１７ａには、封印カバー２３ａまたは封印リング２３ｂが取り付けられ、使用者はこれらの接続箇所に対しては解除を行うべきでないと理解すると共に、誤って解除することを防止することができ、また、排水機器に破損が生じて修理のため排水機器等の部材の交換が必要になった場合、修理者（通常は適正な知識を持った修理業者）は、必要な箇所の封印カバー２３ａまたは封印リング２３ｂを取り除いた上で、簡単に接続解除、また再度接続作業を行い、容易に修理を実施することができる、という作用・効果を有する。
【００５６】
以下に本発明の第三実施例を、図面を参照しつつ説明する。
図１３に示す本発明の第三実施例は、洗面台Ｓの排水配管に関するものであって、以下に記載する、洗面排水器３５、排水トラップ、オーバーフロー配管、吸気弁配管４１、下流側排水器３６、ソケット部材２、から構成されてなる。
洗面台Ｓは、以下に記載する洗面ボウルＳ１、およびキャビネット部Ｃから構成される。
洗面ボウルＳ１は、上方が開口した槽体であって、底面に洗面排水口Ｈ４が、側面であって上縁近傍にオーバーフロー排水口３７が、それぞれ設けられている。該洗面排水口Ｈ４の下方には、洗面ボウルＳ１と一体にして円筒部分が設けられ、この円筒部分に被嵌合部Ｆが形成されてなる。またオーバーフロー排水口３７の外側方向にも、洗面ボウルＳ１と一体にして略楕円形状の筒状部分が設けられ、この筒状部分に被嵌合部Ｆが形成されてなる。
また、必要に応じ使用者の手作業にて、洗面排水口Ｈ４を閉塞する弁部材３４が設けられてなる。
キャビネット部Ｃは、前面に、開閉する扉のついた箱体であって、その上方に洗面ボウルＳ１を載置すると共に、その内部に洗面台Ｓの排水配管が配置される。
洗面排水器３５は、略円筒状の部材であって、上端の開口部分には、洗面排水口Ｈ４の被嵌合部Ｆに対応する第一の嵌合部Ｋ１が、下端の開口部には被嵌合部Ｆが、それぞれ設けられると共に、その側面に、端部に被嵌合部Ｆを設けた管体部分を備えてなる。
排水トラップは、以下に記載するトラップ本体１、蓋部材８ｂ、から構成されてなる。
トラップ本体１は管体をＵ字形状に屈曲させた部材であって、その両端に、寸法・形状が同一となる第一の嵌合部Ｋ１を備えてなる。この第一の嵌合部Ｋ１は、洗面排水器３５の下端の被嵌合部Ｆに対応するように構成されてなる。また、トラップ本体１のＵ字形状の最下端となる部分に、トラップ本体１内部に連通する、被嵌合部Ｆを設けた点検窓８ａを備えてなる。
蓋部材８ｂは点検窓８ａを閉塞する部材であって、点検窓８ａの被嵌合部Ｆに対応する第二の嵌合部Ｋ２を備えてなる。
オーバーフロー配管は以下に記載する、オーバーフロー排水器９、ホース管３８、ホース管継手３８ａ、から構成されてなる。
オーバーフロー排水器９は、上流側の端部が楕円形状を成す管体をＬ字形状に屈曲させた排水器であって、側面にオーバーフロー排水口３７の被嵌合部Ｆに対応する第一の嵌合部Ｋ１を、下端部分には被嵌合部Ｆを備えてなる。この下端部分の被嵌合部Ｆは、洗面排水器３５の側面の管体部分に設けられた被嵌合部Ｆと、同一の形状／寸法にて構成されてなる。
ホース管３８は塩ビ素材からなる可撓管であって、両端に後述するホース管継手３８ａを、それぞれ接着により接続してなる。
ホース管継手３８ａは、円筒状の部材であって、一端にオーバーフロー排水器９の被嵌合部Ｆ（又は洗面排水器３５の側面の管体部分端部に設けられた被嵌合部Ｆ）に対応する第一の嵌合部Ｋ１を設け、他端はホース管３８に挿入された状態にて接着され接続固定される。
吸気弁配管４１は、常時は閉塞し、配管の内部が負圧となったときに開口して配管内部に通気し、配管内へ向かう負圧（引き込み）を解消するための部材であって、以下に記載するＴ字管４２、吸気弁４１ａ、から構成される。
Ｔ字管４２はＴ字を横に倒したような形状に分岐した管体であって、上端部分には、トラップ本体１上端の第一の嵌合部Ｋ１と、同一の寸法／形状の第一の嵌合部Ｋ１が設けられてなる。
また、下端部分には、トラップ本体１の第一の嵌合部Ｋ１に対応する被嵌合部Ｆを設けてなる。
また、側面方向に延出された管体の端部には、第二の嵌合部Ｋ２を設けてなる。
吸気弁４１ａは、Ｌ字形状を成す管体の一端に設けた、常時は閉塞し、配管の内部が負圧となったときに開口して配管内部を通気し、負圧を解消するための弁部分と、管体の他端に設けた、Ｔ字管４２の側面方向に延出された管体端部の第二の嵌合部Ｋ２に対応する被嵌合部Ｆを設けてなる。尚、施工完了時、弁部分はトラップ本体１、及び下流側排水器３６の上端よりも高い位置に配置される。即ち、トラップ本体１や下流側排水器３６内に生じる封水水面よりも高い位置に配置され、このため、Ｔ字管４２部分等に封水等排水が溜まることがあっても、継続的に弁部分に排水または排水溜りが生じることは無い。
下流側排水器３６は略Ｊ字形状に屈曲した管体であって、上流側の端部には、吸気弁配管４１のＴ字管４２の上端部分の第一の嵌合部Ｋ１に対応する被嵌合部Ｆが設けられ、下流側の端部にも、同様に被嵌合部Ｆが設けられてなる。
ソケット部材２は、床下配管に設けられた立ち上げ管Ｕに接着にて接続される略円筒形状の部材であって、上流側の端部に、下流側排水器３６の被嵌合部Ｆと嵌合する第一の嵌合部Ｋ１を設けてなる。
【００５７】
上記のように構成された第三実施例の洗面台Ｓの排水配管は、以下のようにして洗面台Ｓに施工される。尚、全ての第一の嵌合部Ｋ１の押しスイッチ部１６ａには、施工前の時点で封印カバー２３ａ（図示省略）が取り付けられてなる。また、蓋部材８ｂの第二の嵌合部Ｋ２以外の第二の嵌合部Ｋ２の回転スイッチ部１７ａには、施工前の時点で封印リング２３ｂ（図示省略）が取り付けられてなる。
また、第一または第二の嵌合部Ｋ２と、被嵌合部Ｆとの接続において、施工作業者は接続完了時に表示窓２２を確認し、表示窓２２に施工が適正に完了したことを示す、赤色が表示されていることを確認するものとする。
まず、洗面排水口Ｈ４の被嵌合部Ｆに、洗面排水器３５の第一の嵌合部Ｋ１を接続する。
次に、オーバーフロー排水器９の被嵌合部Ｆと、ホース管３８端部に取り付けたいずれか一端のホース管継手３８ａの第一の嵌合部Ｋ１とを接続する。
次に、オーバーフロー排水口３７の被嵌合部Ｆと、オーバーフロー排水器９の第一の嵌合部Ｋ１とを接続する。尚、このオーバーフロー排水口３７の被嵌合部Ｆと、オーバーフロー排水器９の第一の嵌合部Ｋ１との開口は円形形状ではなく楕円形状を成してなるが、この形状の相違によっても特に接続、及び接続解除に何ら支障が出るものではない。
次に、洗面排水器３５の側面の管体部分端部に設けた被嵌合部Ｆと、ホース管３８端部に取り付けた、接続が行われていない側の、ホース管継手３８ａの第一の嵌合部Ｋ１とを接続する。
次に、洗面排水器３５の下端の被嵌合部Ｆと、トラップ本体１の上端の第一の嵌合部Ｋ１とを接続する。
次に、吸気弁４１ａに設けた被嵌合部Ｆと、Ｔ字管４２の側面方向に延出した管体の端部に設けた第二の嵌合部Ｋ２とを接続する。
次に、Ｔ字管４２の下端の被嵌合部Ｆと、トラップ本体１の上端の第一の嵌合部Ｋ１とを接続する。次に、床下配管の立ち上げ管Ｕに、ソケット部材２を接着して取り付ける。
更に、下流側排水器３６の下流側端部にある被嵌合部Ｆと、ソケット部材２の第一の嵌合部Ｋ１とを接続する。
次に、下流側排水器３６の上流側端部にある被嵌合部Ｆと、Ｔ字管４２の上端の第一の嵌合部Ｋ１とを接続する。
以上の作業によって、第三実施例の洗面台Ｓの排水配管の施工が完了する。
上記した接続作業について、被嵌合部Ｆと第一の嵌合部Ｋ１、または被嵌合部Ｆと第二の嵌合部Ｋ２によって接続作業を行う場合には、被嵌合部Ｆを嵌合部に差し込むだけで接続作業が完了し、また表示窓２２を確認するだけで、接続が適正に行われたことを確認できる。
【００５８】
上記のように構成された第三実施例における洗面台Ｓの排水配管において、使用者が必要に応じ、弁部材３４により洗面排水口Ｈ４を閉塞した状態とすることで、洗面ボウルＳ１内に吐水を溜めることができる。
洗面ボウルＳ１内に吐水が溜まり、オーバーフロー排水口３７の下端部分まで水位が上昇すると、排水は、洗面ボウルＳ１上縁に設けたオーバーフロー排水口３７から、オーバーフロー排水器９、ホース管継手３８ａ、ホース管３８、洗面排水器３５、トラップ本体１、Ｔ字管４２、下流側排水器３６、を介し、最終的に立ち上げ管Ｕ内から下水側に排出される。
また、使用者が必要に応じ、弁部材３４を洗面排水口Ｈ４より取り外した状態とすることで、洗面排水口Ｈ４が開口し、洗面ボウルＳ１内の排水を排出されることができる。
この洗面排水口Ｈ４が開口した状態においては、排水は、洗面排水口Ｈ４から、洗面排水器３５、トラップ本体１、Ｔ字管４２、下流側排水器３６、を介し、最終的に立ち上げ管Ｕ内から下水側に排出される。
また、これら排水を行う際、下流側排水器３６の折り返し部分下端の高さまで、排水の溜まり部分である封水が生じ、封水によって配管の流路の一部が常時満水状態となって水封され、洗面排水口Ｈ４やオーバーフロー排水口３７に対してトラップ機能が生じ、下水側から屋内側への害虫類また臭気の屋内側への逆流が防止される為、下水側からの臭気や害虫類が屋内側に逆流することが無い。
また、排水時において、排水が大量で排水配管内が全体に満水の状態のまま勢いよく排水が行われると、配管の開口箇所から空気を引き込もうとする作用が働く。
第二実施例のような構成の洗面台Ｓの排水配管の場合は、洗面排水口Ｈ４やオーバーフロー排水口３７から空気の引き込みが生じ、この時の「ごぼごぼ」「ずるずる」といった引き込み音が屋内側に生じて洗面ボウルＳ１の使用者に不快感を生じさせるが、本実施例では、トラップ本体１の下流側に配置した吸気弁配管４１より吸気が行われ、洗面排水口Ｈ４やオーバーフロー排水口３７から空気の引き込みはほとんど生じない。
このため、「ごぼごぼ」「ずるずる」といった引き込み音が屋内側に生じることなく、洗面ボウルＳ１の使用者に不快感を生じさせることが無い。吸気弁４１ａにおいては「ごぼごぼ」「ずるずる」といった引き込み音が生じる可能性があるが、吸気弁４１ａはキャビネット内に収納されており、仮に吸気弁４１ａに引き込み音が生じても、使用者にはほとんど聞こえない。また、吸気弁４１ａは常時は閉塞し、配管の内部が負圧となったときに開口して配管内部を通気する部材であるため、吸気弁４１ａからキャビネット内に屋内側の排水が逆流することも無い。
【００５９】
また、上記第三実施例において、使用者が洗面排水口Ｈ４から指輪など、貴重品等を誤って落下してしまう場合があるが、このような場合に、使用者は、トラップ本体１の蓋部材８ｂに備えた第二の嵌合部Ｋ２の回転スイッチ部１７ａに操作を加えることで、トラップ本体１から蓋部材８ｂを分離し、トラップ本体１内部に落下した指輪などの貴重品等を点検窓８ａより回収することができる（点検窓８ａは他に、トラップ本体１内部の点検、清掃等に利用することができる）。
また、これら回収、点検、または清掃後に点検窓８ａを閉塞する場合には、接続の作業は上述のように蓋部材８ｂを点検窓８ａに差し込むだけで完了し、且つ表示窓２２の表示色を確認するだけで適正に行うことができていることが確認でき、極めて容易かつ確実に接続を行うことができる。
【００６０】
また、第一実施例と同様に、破損時以外には接続を解除する必要が無い、或いは解除すると漏水が生じるため解除してはならない箇所の押しスイッチ部１６ａ、または回転スイッチ部１７ａには、封印カバー２３ａまたは封印リング２３ｂが取り付けられ、使用者はこれらの接続箇所に対しては解除を行うべきでないと理解すると共に、誤って解除することを防止することができ、また、排水機器に破損が生じて修理のため排水機器等の部材の交換が必要になった場合、修理者（通常は適正な知識を持った修理業者）は、必要な箇所の封印カバー２３ａまたは封印リング２３ｂを取り除いた上で、簡単に接続解除、また再度接続作業を行い、容易に修理を実施することができる、という作用・効果を有する。
【００６１】
以下に本発明の第四実施例を、図面を参照しつつ説明する。
図１４及び図１５に示す本発明の第四実施例は、以下に記載する流し台Ｎの排水配管に関するものであって、以下に記載する、排水トラップ、下流側排水器３６、ソケット部材２、から構成されてなる。
流し台Ｎは、以下に記載するシンクＮ１、およびキャビネット部Ｃから構成される。
シンクＮ１は、上方が開口した槽体であって、底面に開口が設けられている。
キャビネット部Ｃは、前面に、開閉する扉のついた箱体であって、その上方に洗面ボウルＳ１を載置すると共に、その内部に洗面台Ｓの排水配管が配置される。
排水トラップは、以下に記載する、排水器であるトラップ本体１、フランジ部材３１、ナット部材３２、防臭筒４、防臭椀部４３、から構成される。
トラップ本体１は、流し台ＮのシンクＮ１底面に取り付けられる有底略円筒形状の排水器であって、上方に第二の嵌合部Ｋ２を備えた開口を、底面の上側中央に第一の嵌合部Ｋ１を、底面の下側中央に、上面の第一の嵌合部Ｋ１に連通する被嵌合部Ｆを、それぞれ設けてなる。
尚、底面の上側中央に設けた第一の嵌合部Ｋ１は、通水部としての通水孔２７を設けた第二の嵌合部Ｋ２である。通水孔２７の下端は、トラップ本体１底面の、最も低い位置となるように構成されてなる。
フランジ部材３１は、略円筒形状にして上方に円周に沿って外方向に突出したフランジ部３１ｃと、円筒部分の外側面に設けた雄ネジと、から構成され、その内部にシンク排水口Ｈ５が形成される。
ナット部材３２は、上記フランジ部材３１の雄ネジと螺合する雌ネジを備えてなる。また、ナット部材３２の外側面下方に、上記トラップ本体１の上端の開口に設けた第二の嵌合部Ｋ２に対応する被嵌合部Ｆを設けてなる。
防臭筒４は、略円筒形状の部材であって、下端に上記トラップ本体１の底面上方に設けられた第一の嵌合部Ｋ１に対応する被嵌合部Ｆを備えてなる。該防臭筒４は、使用時において、その上端部分までトラップ本体１内部に排水を溜めて封水を形成し、トラップ本体１内側面と防臭椀部４３外側面の間から、防臭椀部４３内側面と防臭筒４上端までの間の排水の流路を満水とし、水封状態を生じさせる封水部材である。
また、この防臭筒４の被嵌合部Ｆは、トラップ本体１底面上方に設けた第一の嵌合部Ｋ１に対応する被嵌合部Ｆであるが、トラップ本体１底面上方に設けた第一の嵌合部Ｋ１と異なり通水孔２７等の、通水部の構成を設けてはいない。このため、トラップ本体１底面上方に設けた第一の嵌合部Ｋ１の通水孔２７は、防臭筒４との接続を解除しない限り、嵌合部の外側から下流側に排水を通水することは無い。
防臭椀部４３は、有底略円筒形状の椀を、上下逆転させて伏せたような形状を成す、下方が開口した部材であって、施工完了時、トラップ本体１の内部であって、防臭筒４を覆うようにして、上方は防臭筒４に、下方はトラップ本体１の底面に、それぞれ隙間を設けた状態で着脱自在に配置固定される。
ソケット部材２は、床下配管に設けられた立ち上げ管Ｕに接着にて接続される略円筒形状の部材であって、上流側の端部に、被嵌合部Ｆを設けてなる。このソケット部材２に設けられた被嵌合部Ｆは、トラップ本体１の底面下側中央に設けられた被嵌合部Ｆと、同一の形状／寸法にて構成されてなる。
下流側排水器３６は、塩ビ素材からなる可撓管であって、その両端に、トラップ本体１の底面下側中央に設けられた被嵌合部Ｆ、及びソケット部材２の被嵌合部Ｆに対応する、第一の嵌合部Ｋ１を設けた排水管継手を接着により工場にて接続してなる。
【００６２】
上記のように構成された第四実施例の流し台Ｎの排水配管は、以下のようにして流し台Ｎに施工される。尚、トラップ本体１の底面上方に設けられた第一の嵌合部Ｋ１の押しスイッチ部１６ａ以外の押しスイッチ部１６ａには、施工前の時点で封印カバー２３ａ（図示省略）が取り付けられてなる。また、全ての第二の嵌合部Ｋ２の回転スイッチ部１７ａには、施工前の時点で封印リング２３ｂ（図示省略）が取り付けられてなる。
また、第一または第二の嵌合部Ｋ２と、被嵌合部Ｆとの接続において、施工作業者は接続完了時に表示窓２２を確認し、表示窓２２に施工が適正に完了したことを示す、赤色が表示されていることを確認するものとする。
以下に、工場における施工作業を記載する。この工場における施工作業では、螺合等で接続を行う場合には、ネジの取り付けのための治具が用意され、ネジ締め付け時のトルク管理や正しく水密的に接続ができているかどうか検証するための試験治具も用意されており、ネジの螺合等の接続について、施工現場に比べ、適正な接続作業を容易且つ確実に行い、また必要があれば接続が適正か容易に確認することができる。
まず、シンクＮ１底面の開口に、フランジ部材３１の円筒部分を挿通し、フランジ部３１ｃの下面に開口の周縁が当接するように配置する。更にフランジ部材３１の雄ネジにナット部材３２の雌ネジを螺合させて挟持させ、接続固定する。この接続の際には、フランジ部材３１を回転しないように押えた上で、ナット部材３２を治具で回転させて螺合させる。また、特に詳述しないが、接続の際には開口の周縁にパッキングを配置し、水密的に接続させる。
この接続は、上述のように機材・治具が揃っている工場にて行われる為、ネジ接続であっても接続は現場にて行うより容易且つ確実で、また締め付けが適正に行われているかを確認することも試験治具を利用して容易に行うことができる。
【００６３】
以降の作業は、流し台Ｎ及びシンクＮ１を含む各部材を、施工現場に搬入して行う。
まず、設置個所に流し台Ｎを設置する。
次に、ナット部材３２の被嵌合部Ｆと、トラップ本体１上端の第二の嵌合部Ｋ２を接続する。
次に、トラップ本体１底面下方の被嵌合部Ｆと、下流側排水器３６の排水管継手の第一の嵌合部Ｋ１を接続する。
次に、床下配管のパイプ管にソケット部材２を接着にて取り付ける。
次に、ソケット部材２の被嵌合部Ｆと、下流側排水器３６の排水管継手の第一の嵌合部Ｋ１を接続する。下流側排水器３６は可撓管を備えるため、トラップ本体１底面下方の被嵌合部Ｆと、立ち上げ管Ｕの位置に多少の位置ずれがあっても、この位置ずれに対応しつつ接続を行うことができる。
次に、防臭筒４下端の被嵌合部Ｆと、トラップ本体１底面上方の第一の嵌合部Ｋ１を接続する。
更にトラップ本体１内部に、防臭椀部４３を、防臭筒４を覆うようにして、上方は防臭筒４に、下方はトラップ本体１の底面に、それぞれ隙間を設けた状態で着脱自在に配置固定して、第四実施例の流し台Ｎの接続が完了する。
上記した接続作業について、被嵌合部Ｆと第一の嵌合部Ｋ１、または被嵌合部Ｆと第二の嵌合部Ｋ２によって接続作業を行う場合には、被嵌合部Ｆを嵌合部に差し込むだけで接続作業が完了し、また表示窓２２を確認するだけで、接続が適正に行われたことを確認できる。
【００６４】
上記のように構成された第四実施例における流し台Ｎの排水配管において、流し台Ｎの使用によりシンクＮ１内に排水が発生すると、排水は、フランジ部材３１のシンク排水口Ｈ５から、トラップ本体１内側面と防臭椀部４３外側面の隙間、防臭椀部４３下端とトラップ本体１底面との隙間、防臭椀部４３内側面と防臭筒４外側面の隙間、を通過し、防臭筒４上端を超えて、防臭筒４内部から下流側排水器３６を介し、最終的に立ち上げ管Ｕ内から下水側に排出される。
また、上記排水によって、防臭筒４上端部分まで、トラップ本体１内部に排水が溜められて封水を形成する。この封水により、トラップ本体１内側面と防臭椀部４３外側面の間から、防臭椀部４３内側面と防臭筒４上端までの間の排水の流路は満水状態となって水封されるため、下水側からの、屋内側への臭気や害虫類の逆流を防止することができる。
【００６５】
また、上記第四実施例において、使用者がトラップ本体１内部に対して清掃を行う場合があるが、このような場合に、使用者は、トラップ本体１底面上方の第一の嵌合部Ｋ１の押しスイッチ部１６ａに操作を加えることで、トラップ本体１から防臭筒４を分離することができる。これにより、トラップ本体１内部に溜まっていた排水を全て排出し、トラップ本体１内部の清掃を容易に行うことができる。詳述すると、第一の嵌合部Ｋ１上端より上方の封水は、第一の嵌合部Ｋ１上端から流出する。第一の嵌合部Ｋ１より下方の封水は、通水孔２７から、表示部材２０の切欠き部分を通過し、トラップ本体１の下流側に排出される。
また、清掃後に防臭筒４を接続し直す際には、接続の作業は上述のように差し込むだけで完了し、且つ表示窓２２の表示色を確認するだけで適正に行うことができていることが確認でき、極めて容易かつ確実に接続を行うことができる。
【００６６】
また、第一実施例と同様に、破損時以外には接続を解除する必要が無い、或いは解除すると漏水が生じるため解除してはならない箇所の押しスイッチ部１６ａ、または回転スイッチ部１７ａには、封印カバー２３ａまたは封印リング２３ｂが取り付けられ、使用者はこれらの接続箇所に対しては解除を行うべきでないと理解すると共に、誤って解除することを防止することができ、また、排水機器に破損が生じて修理のため排水機器等の部材の交換が必要になった場合、修理者（通常は適正な知識を持った修理業者）は、必要な箇所の封印カバー２３ａまたは封印リング２３ｂを取り除いた上で、簡単に接続解除、また再度接続作業を行い、容易に修理を実施することができる、という作用・効果を有する。
【００６７】
次に、本発明の第五実施例を、図面を参照しつつ説明する。
図１６に示した本発明の第五実施例の排水配管構造は、以下に記載した、ホース管３８を備えた洗濯機（ホース管３８とホース管継手３８ａのみ図示）、洗濯機パンＰ３、排水トラップ、その他の部材から構成されてなる。
洗濯機は衣類等を洗濯するために使用される機材であって、使用時に洗剤等が混入した排水を大量に排出するホース管３８を備えてなる。
またホース管３８の端部には、管体をＬ字状に屈曲してなり、一端はホース管３８端部に接着にて接続固定され、他端には、被嵌合部Ｆを設けた、ホース管継手３８ａを備えてなる。
洗濯機パンＰ３は、上記洗濯機を載置する防水パンであって、底面に排水トラップを取り付ける開口を備えてなる。
排水トラップは、洗濯機及び洗濯機パンＰ３上の排水を下水側に排水処理するための排水器であって、以下に記載する、トラップ本体１、フランジ部材３１、封水椀部３、防臭筒４、泡止め配管５、から構成されてなる。
トラップ本体１は、上方に雌ねじを備えた開口を備えると共に、側面に排出口１ｃを備えてなる。
フランジ部材３１は、略円筒形状にして上方に円周に沿って外方向に突出したフランジ部３１ｃと、円筒部分の外側面に設けたトラップ本体１の雌ネジと螺合する雄ネジと、を設けてなり、その内部に洗濯パン排水口を形成してなる。
封水椀部３は有底略円筒形状にして、上方側面に開口を備え、上端部分はフランジ部材３１の洗濯パン排水口に係止される。
防臭筒４は略筒形状にして上方は洗濯パン排水口に水密的に接続され、下端は封水椀部３内に配置される。
泡止め配管５は、泡の排水口への逆流を防止する機能を有するために、「泡止め」の管として泡止め配管５と呼ばれる排水器であって、Ｔの字を天地逆転させたような形状を成す管体であって、上端部分には、ホース管継手３８ａの被嵌合部Ｆに対応する、第一の嵌合部Ｋ１を備えてなる。また、施工完了時において、泡止め配管５の下方の両端は、防臭筒４の更に外側に突出するように配置される。
尚、これらの部材を備えた洗濯機パンＰ３は、床下配管に通じる開口を設けた屋内等の床面上に設置される。
【００６８】
上記のように構成された本実施例の洗濯機の排水配管構造は、以下のようにして施工される。
まず、トラップ本体１の排出口１ｃに床下配管を接着にて接続した上で、洗濯機パンＰ３を、洗濯機パンＰ３の開口にトラップ本体１の上方の開口が合致するように調整しつつ、床面上に配置する。
次に、洗濯機パンＰ３の開口に、フランジ部材３１の円筒部分を挿通し、フランジ部３１ｃの下面に開口の周縁が当接するように配置する。更にフランジ部材３１の雄ネジにトラップ本体１の雌ネジを螺合させる。この接続の際には、パンの上方から、フランジ部材３１を治具で回転させて螺合させる。また、特に詳述しないが、接続の際には開口の周縁にパッキングを配置し、水密的に接続させる。
次に、フランジ部材３１の洗濯機パン排水口Ｈ６から、封水椀部３を挿通して、その上端を洗濯機パン排水口Ｈ６に係止する。
次に、封水椀部３内部に泡止め配管５を配置した上で、封水椀部３内周側であって泡止め配管５の縦管を覆うように、防臭筒４を配置し、防臭筒４の上端を洗濯機パン排水口Ｈ６に水密的に接続し、固定する。
次に、洗濯機を洗濯機パンＰ３上に載置する。
更に、ホース管継手３８ａの被嵌合部Ｆに、泡止め配管５上端の第一の嵌合部Ｋ１を接続し、本実施例の洗濯機と洗濯機パンＰ３の排水配管の施工が完了する。
尚、この接続は、ホース管継手３８ａに設けられた被嵌合部Ｆと、トラップ本体１上端に設けられた第一の嵌合部Ｋ１と、により、差し込み作業のみで接続を完了させることができる。
【００６９】
上記のように構成された本発明の第五実施例の洗濯機と洗濯機パンＰ３の排水配管構造において、洗濯機から排水が生じると、排水は、洗濯機から、ホース管３８、ホース管継手３８ａ、泡止め配管５、封水椀部３、トラップ本体１内部、を介し、最終的にトラップ本体１の排出口１ｃから排水配管を通じて下水側に排出される。
また、洗濯機パンＰ３上に排水が生じると、排水は、洗濯機パン排水口Ｈ６から、防臭筒４内部、封水椀部３、トラップ本体１内部、を介し、最終的にトラップ本体１の排出口１ｃから排水配管を通じて下水側に排出される。
また、これら排水を行う際、封水椀部３に、排水の溜まり部分である封水が生じる。洗濯機のホース管３８上流や、洗濯機パン排水口Ｈ６については、防臭筒４内部または泡止め配管５から、封水椀部３上端までの流路が満水状態となって水封されることで、下水側からの臭気や害虫類を防ぐトラップ機能を生じることができる。
【００７０】
また、本実施例では、泡止め配管５によって、泡の洗濯機パン排水口Ｈ６への逆流を防止する機能を有する。具体的には以下のような構成・効果により泡の洗濯機パン排水口Ｈ６への逆流を防止する。
泡止め配管５は、洗濯機からの排水を、封水椀部３内の封水内であって、防臭筒４の外側に排出する構成としており、泡止め配管５の先端から生じた泡が、防臭筒４の外側にのみ排出される。泡は比重１よりも軽く、臭気同様封水内を逆流することができない為、泡止め配管５の端部から排出された泡混じりの排水は、そのまま封水椀部３内を上昇し、洗濯機パン排水口Ｈ６に泡が逆流すること無く、全て防臭筒４外側と封水椀部３内側の間部分の上端から、トラップ本体１内部の下流側に流れ出すことができる。
【００７１】
また、上記第五実施例において、使用者がトラップ本体１内部に対して清掃を行う場合があるが、このような場合に、使用者は、泡止め配管５の第一の嵌合部Ｋ１の押しスイッチ部１６ａに操作を加えることで、泡止め配管５とホース管継手３８ａとを容易に分離することができる。これにより、トラップ本体１から防臭筒４や封水椀部３を洗濯機パン排水口Ｈ６から取り出し、排水トラップの各部材の清掃を容易に行うことができる。
また、清掃後に泡止め配管５とホース管３８を接続し直す際には、接続の作業は上述のように差し込むだけで完了し、且つ表示窓２２の表示色を確認するだけで適正に行うことができていることが確認でき、極めて容易かつ確実に接続を行うことができる。
【００７２】
本発明の実施例は以上のようであるが、本発明は上記実施例に限定される物ではなく、主旨を変更しない範囲において自由に変更が可能である。
例えば、上記各実施例では、表示機能、また弾性部材１４を用いた嵌合部と被嵌合部Ｆとの離間機能を備えて構成してなるが、本発明は上記実施例に限定されるものではなく、必要に応じてそれらの機能・構成を付加また削除しても構わない。
また表示機能についても色調だけでなく、文字表示によって接続状況を表すようにしても良い。
また、封印についても封印カバー２３ａや封印リング２３ｂなどではなく、シール様の封印を用いて接続解除に関する意思表示を行うようにしても良い。
【００７３】
また、上記実施例においては、嵌合部及び被嵌合部Ｆの接続構造を、浴室、洗面台Ｓ、流し台Ｎの各排水器の接続構造として利用してなるが、本発明は上記実施例に限定されるものではなく、他の排水器の接続構造に利用しても構わない。
例えば、直管の側面に設けた点検窓８ａと、その点検窓８ａを閉塞する蓋部材８ｂにおいて、蓋部材８ｂに被嵌合部Ｆを、点検窓８ａに第二の嵌合部Ｋ２を、それぞれ設けて構成しても構わない。本発明の第三実施例においては、点検窓８ａが排水トラップの封水の位置に設けられてなるが、必ずしも封水などに対応して点検窓８ａを設ける必要は無い。
また、図１７に示した実施例のように、雨水を溜める雨水タンクＴ１の配管において、雨どいからの雨水を送るホース管３８と、ホース管３８からの雨水を溜める雨水タンクＴ１との接続に、本発明の接続構造を採用しても良い。図１７の実施例では、雨水タンクＴ１の接続箇所に第一の嵌合部Ｋ１を、雨どいからのホース管３８の端部に被嵌合部Ｆを、それぞれ設けて接続を行うように構成してなる。
また、図１８に示した実施例のように、トイレの便器Ｒにおいて、便器Ｒと立ち上げ管Ｕとの接続に、本発明の接続構造を採用しても良い。図１８の実施例では、便器Ｒの接続箇所に被嵌合部Ｆを、床下からの立ち上げ配管の端部に第二の嵌合部Ｋ２を、それぞれ設けて接続を行うように構成してなる。
【符号の説明】
【００７４】
１      トラップ本体１              １ａ    枝管部
１ｂ    オーバーフロー嵌合部        １ｃ    排出口
２      ソケット部材                ３      封水椀部
４      防臭筒                      ５      泡止め配管
６      逆流防止弁                  ７      吸気弁
８ａ    点検窓                      ８ｂ    蓋部材
９      オーバーフロー排水器        １０    操作部
１０ａ  ツマミ部                    １１    挿通口
１２    ガイド管                    １２ａ  ガイド管継手
１３    キャップ部材                １４    弾性部材
１５    当接面                      １６    押しスイッチ部材
１６ａ  押しスイッチ部              １７    リング部材
１７ａ  回転スイッチ部              １８    爪部
１９    嵌合溝                      ２０    表示部材
２０ａ  リブ片                      ２１    スリット部
２２    表示窓                      ２３ａ  封印カバー
２３ｂ  封印リング                  ２４    軸受部
２５    軸部                        ２６    弾性部
２７    通水孔                      ２８    浴槽排水器
２９    浴槽パン排水器              ２９ａ  接続部
３０    支持部材                    ３１    フランジ部材
３１ａ  浴槽パンフランジ部材        ３１ｂ  洗い場パンフランジ部材
３１ｃ  フランジ部                  ３２    ナット部材
３２ａ  浴槽パンナット部材          ３２ｂ  洗い場パンナット部材
３３    カバー部材                  ３４    弁部材
３５    洗面排水器                  ３６    下流側排水器
３７    オーバーフロー排水口        ３８    ホース管
３８ａ  ホース管継手                ３９    オーバーフロー防臭筒
４０    レリースワイヤ              ４１    吸気弁配管
４２    Ｔ字管                      ４３    防臭椀部
Ｂ      浴槽                        Ｃ      キャビネット部
Ｆ      被嵌合部                    Ｈ１    浴槽排水口
Ｈ２    浴槽パン排水口              Ｈ３    洗い場パン排水口
Ｈ４    洗面排水口                  Ｈ５    シンク排水口
Ｈ６    洗濯機パン排水口            Ｋ１    第一の嵌合部
Ｋ１１  第一の接続筒本体部          Ｋ２    第二の嵌合部
Ｋ２１  第二の接続筒本体部          Ｏ      Ｏリング
Ｐ１    浴槽パン                    Ｐ２    洗い場パン
Ｐ３    洗濯機パン                  Ｒ      便器
Ｎ      流し台                      Ｎ１    シンク
Ｓ      洗面台                      Ｓ１    洗面ボウル
Ｔ１    雨水タンク                  Ｔ２    縦樋配管
Ｕ      立ち上げ管                  
【図１】
2015055149.tif 000003
【図２】
2015055149.tif 000004
【図３】
2015055149.tif 000005
【図４】
2015055149.tif 000006
【図５】
2015055149.tif 000007
【図６】
2015055149.tif 000008
【図７】
2015055149.tif 000009
【図８】
2015055149.tif 000010
【図９】
2015055149.tif 000011
【図１０】
2015055149.tif 000012
【図１１】
2015055149.tif 000013
【図１２】
2015055149.tif 000014
【図１３】
2015055149.tif 000015
【図１４】
2015055149.tif 000016
【図１５】
2015055149.tif 000017
【図１６】
2015055149.tif 000018
【図１７】
2015055149.tif 000019
【図１８】
2015055149.tif 000020